(57)【要約】【課題】トラヒック制御機能を有する加入者線終端装置及び加入者収容装置に関し、ＧＥＰＯＮシステム全体のスループットの低下や、通信サービス低下の影響を抑え、ネットワーク上の転送優先度に従ったデータ伝送を実現する。【解決手段】加入者線終端装置（ＯＮＵ）１１及び加入者収容装置（ＯＬＴ）１４は、優先度クラスキュー毎にデータ蓄積状態を監視し、ユーザ宅内側のネットワーク１２及び上位ネットワーク１５に、優先度クラスキューの番号を付与したポーズフレームを送信することで、トラヒックの転送の一時停止／再開を優先度クラス単位に要求する。また、ユーザ宅内側のネットワーク１２又は上位ネットワーク１５から、優先度クラスキューの番号が付与されたポーズフレームを受信し、該番号を優先度クラスキューのスケジューラにセットし、トラヒックの転送の一時停止／再開を優先度クラス単位に行う。【選択図】図１
2007194732.tif 000002
【特許請求の範囲】
【請求項１】
複数の加入者線終端装置（ＯＮＵ）と１つの加入者収容装置（ＯＬＴ）とを受動光ネットワーク（ＰＯＮ）によって接続した受動光ネットワーク（ＰＯＮ）システムであって、前記加入者収容装置（ＯＬＴ）は、受動光ネットワーク（ＰＯＮ）の物理レイヤ終端機能と、各加入者線終端装置（ＯＮＵ）との間の伝送物理回線における帯域制御機能と、上位ネットワークへ接続するためのサービスノードインタフェース（ＳＮＩ）機能とを有し、前記加入者線終端装置（ＯＮＵ）は、ユーザ宅内側のネットワークと接続するためのユーザネットワークインタフェース（ＵＮＩ）機能を有し、更に、前記加入者線終端装置（ＯＮＵ）及び加入者収容装置（ＯＬＴ）は、ネットワーク上の転送優先度が異なる複数のトラヒックデータを、各装置内に転送優先度毎に備えられた複数の上り優先度クラスキュー及び下り優先度クラスキューにそれぞれ収容し、該優先度クラスキュー単位にデータ転送のスケジューリングを行い、該スケジューリングに従って、前記各優先度クラスキューに収容されたトラヒックデータを読み出し、前記サービスノードインタフェース（ＳＮＩ）又はユーザネットワークインタフェース（ＵＮＩ）へ、トラヒックデータを転送する受動光ネットワーク（ＰＯＮ）システムの加入者収容装置（ＯＬＴ）において、
前記下り優先度クラスキュー毎にトラヒックデータの蓄積状態を監視する手段と、
前記下り優先度クラスキュー毎のトラヒックデータの蓄積状態を基に、上位ネットワークに対してフロー制御のためのポーズフレームを送信する条件に該当したと判断したとき、該フロー制御の対象の優先度クラスキューの番号を付与したポーズフレームを送信する手段と、
を備え、上位ネットワークに対し、下りトラヒックデータの転送の一時停止及び再開を、下り転送優先度のクラス単位に要求することを特徴とする加入者収容装置（ＯＬＴ）。
【請求項２】
前記上り優先度クラスキューの番号が付与されたポーズフレームを上位ネットワークから受信したとき、該ポーズフレーム中の優先度クラスキューの番号を上り優先度クラスキューのスケジューラにセットする手段と、
前記上り優先度クラスキューのスケジューラにおいて、前記セットされた番号に該当する上り優先度クラスキューに収容されたトラヒックデータの読み出し動作を、該ポーズフレームのポーズ時間がゼロでないときはその時間分無効にし、該ポーズフレームのポーズ時間がゼロであるときは有効にする手段と、
を有し、上位ネットワークに対し上りトラヒックデータの転送の一時停止及び再開を、上り転送優先度のクラス単位に行うこと特徴とする請求項１記載の加入者収容装置（ＯＬＴ）。
【請求項３】
請求項１に記載の受動光ネットワーク（ＰＯＮ）システムの加入者線終端装置（ＯＮＵ）において、
前記上り優先度クラスキュー毎にトラヒックデータの蓄積状態を監視する手段と、
前記上り優先度クラスキュー毎のトラヒックデータの蓄積状態を基に、ユーザ宅内側のネットワークに対してフロー制御のためのポーズフレームを送信する条件に該当したと判断したとき、該フロー制御の対象の優先度クラスキューの番号を付与したポーズフレームを送信する手段と、
を備え、ユーザ宅内側のネットワークに対し、上りトラヒックデータの転送の一時停止及び再開を、上り転送優先度のクラス単位に要求することを特徴とする加入者線終端装置（ＯＮＵ）。
【請求項４】
前記下り優先度クラスキューの番号が付与されたポーズフレームをユーザ宅内側のネットワークから受信したとき、該ポーズフレーム中の優先度クラスキューの番号を下り優先度クラスキューのスケジューラにセットする手段と、
前記該スケジューラにおいて、前記セットされた番号に該当する下り優先度クラスキューに収容されたトラヒックデータの読み出し動作を、該ポーズフレームのポーズ時間がゼロでないときはその時間分無効にし、該ポーズフレームのポーズ時間がゼロであるときは有効にする手段と、
を有し、ユーザ宅内側のネットワークに対し、下りトラヒックデータの転送の一時停止及び再開を、下り転送優先度のクラス単位に行うことを特徴とする請求項３記載の加入者線終端装置（ＯＮＵ）。
【請求項５】
前記優先度クラスキュー毎のトラヒックデータのデータ蓄積状態を基にフロー制御のために送信するポーズフレーム内のＶＬＡＮタグの中に設定されるＶＬＡＮ識別子、又は該ポーズフレーム内のパディング領域に、前記優先度クラスキューの番号を付与することを特徴とする請求項１又は２記載の加入者収容装置（ＯＬＴ）。
【請求項６】
前記優先度クラスキュー毎のトラヒックデータのデータ蓄積状態を基にフロー制御のために送信するポーズフレーム内のＶＬＡＮタグの中に設定されるＶＬＡＮ識別子、又は該ポーズフレーム内のパディング領域に、前記優先度クラスキューの番号を付与することを特徴とする請求項３又は４記載の加入者線終端装置（ＯＮＵ）。
【請求項７】
請求項１に記載の受動光ネットワーク（ＰＯＮ）システムの加入者線終端装置（ＯＮＵ）において、
下り優先度クラスキュー毎にデータ蓄積状態を監視する手段と、
前記下り優先度クラスキュー毎のデータ蓄積状態を基に、前記加入者収容装置（ＯＬＴ）に対してフロー制御のためのポーズフレームを送信する条件に達したと判断したとき、前記加入者収容装置（ＯＬＴ）に対する上りトラヒックの送信要求に使用されるレポートフレームを使用し、前記フロー制御の対象の優先度クラスキューの番号に対応する、レポートフレームのキューセットの領域にフロー制御情報を設定する手段と、
を有し、加入者収容装置（ＯＬＴ）に対し、下りトラヒックの転送の一時停止及び再開を、下り優先度クラス単位に要求することを特徴とする加入者線終端装置（ＯＮＵ）。
【請求項８】
前記下り優先度クラスキューのデータ蓄積状態によってポーズフレームを送信する条件に該当した前記優先度クラスキューの番号に該当するキューセットの領域へ設定する情報として、ポーズ時間を時間量子化（ＴＱ）変換した情報を設定することを特徴とする請求項７記載の加入者線終端装置（ＯＮＵ）。
【請求項９】
請求項１に記載の受動光ネットワーク（ＰＯＮ）システムの加入者収容装置（ＯＬＴ）において、
前記加入者線終端装置（ＯＮＵ）からの前記請求項７記載のレポートフレームにより、優先度クラスキューの番号に該当するキューセットの領域へ設定されたポーズ時間を受信したとき、該優先度クラスキューの番号を前記下り優先度クラスキューのスケジューラへ、加入者線終端装置（ＯＮＵ）の論理リンク識別子（ＬＬＩＤ）と関連付けてセットする手段と、
前記スケジューラにおいて、前記セットされた番号に該当する下り優先度クラスキューに収容されたトラヒックの読み出し動作を、前記キューセットの領域へ設定されたポーズ時間がゼロでないときはその時間分無効にし、前記キューセットの領域へ設定されたポーズ時間がゼロであるときは有効にする手段と、
を有し、加入者線終端装置（ＯＮＵ）に対し下りトラヒックの転送の一時停止及び再開を、優先度クラス単位に行うことを特徴とする加入者収容装置（ＯＬＴ）。
【請求項１０】
請求項１に記載の受動光ネットワーク（ＰＯＮ）システムの加入者収容装置（ＯＬＴ）であって、加入者線終端装置（ＯＮＵ）に対し、上りトラヒックの送信開始時刻及び送信時間を含むゲートフレームを通知して上り通信帯域を割り当てる加入者収容装置（ＯＬＴ）において、
前記加入者線終端装置（ＯＮＵ）の上り優先度クラスキューの番号及び該番号と対応した時間情報をパラメータとして上り通信帯域を割当てる動的帯域割当て（ＤＢＡ）スケジューラを有し、
前記動的帯域割当て（ＤＢＡ）スケジューラにおいて、前記上り優先度クラスキューの番号に対する上り送信帯域の割り当てを、時間情報の値がゼロでないときは該値の時間分キャンセルし、時間情報の値がゼロであるときは許可する手段を有し、
上りトラヒックの通信帯域の割当てを優先度クラス単位に行うことを特徴とする加入者収容装置（ＯＬＴ）。
【請求項１１】
前記上り優先度クラスキュー毎にデータ蓄積状態を監視し、該データ蓄積状態によってポーズフレームを送信する条件に該当した前記優先度クラスキューの番号とポーズ時間とを、前記動的帯域割当て（ＤＢＡ）スケジューラのパラメータにおける上り優先度クラスキューの番号と時間情報に対応させて上り通信帯域を割当てる手段を有し、
加入者線終端装置（ＯＮＵ）に対し、上りトラヒックの転送の一時停止及び再開を、優先度クラス単位に行うことを特徴とする請求項１０記載の加入者収容装置（ＯＬＴ）。
【請求項１２】
前記時間情報の値として前記ポーズ時間を時間量子化（ＴＱ）変換した値を用いることを特徴とする請求項１１記載の加入者収容装置（ＯＬＴ）。
【請求項１３】
請求項３記載の加入者線終端装置（ＯＮＵ）において、
前記上り優先度クラスキュー毎にデータ蓄積状態を監視し、ユーザ宅内側のネットワークに対し、ポーズフレームを送信し、ユーザ宅内側のネットワークに対し、上りトラヒックの転送の一時停止又は再開を要求した際に、
前記加入者収容装置（ＯＬＴ）に対する上りトラヒックの送信要求に使用されるレポートフレームを使用し、前記データ蓄積状態によってポーズフレームを送信する条件に該当した優先度クラスキューの番号に該当するキューセットの領域へ、前記ポーズ時間に関する情報を設定する手段と、
前記レポートフレームを前記加入者収容装置（ＯＬＴ）へ送信する手段と、
備えたことを特徴とする加入者線終端装置（ＯＮＵ）。
【請求項１４】
前記ポーズ時間に関する情報として、ポーズ時間を時間量子化（ＴＱ）変換した情報を設定することを特徴とする請求項１３記載の加入者線終端装置（ＯＮＵ）。
【請求項１５】
前記レポートフレームのキューセットの領域へ設定する情報として、前記加入者線終端装置（ＯＮＵ）がユーザ宅内側のネットワークに対してポーズフレームの送信によって上りトラヒックの転送の一時停止を要求した場合は、該ポーズ時間を時間量子化（ＴＱ）変換した情報を初期値とし、且つ、ローカルタイマーカウンタで使用されるクロック信号を用いて該初期値をダウンカウントした値を次回送信時の値とし、
更に、ポーズ時間をゼロとしたポーズフレームの送信によって、上りトラヒックの転送の再開を要求した場合は、前記ローカルタイマーカウンタのダウンカウント動作を停止させ、該ローカルタイマーカウンタのカウント値を強制的にゼロに設定する手段を備えたことを特徴とする請求項１３記載の加入者線終端装置（ＯＮＵ）。
【請求項１６】
前記ローカルタイマーカウンタのカウント値がゼロとなったとき、該カウント値を前記初期値へ戻し、再度ダウンカウント動作を開始させ、かつ、再度、ユーザ宅内側のネットワークに対し、ポーズフレームを送信する手段を備えたことを特徴とする請求項１５記載の加入者線終端装置（ＯＮＵ）。
【請求項１７】
請求項１３乃至１６の何れかに記載の加入者線終端装置（ＯＮＵ）から、レポートフレームの優先度クラスキューの番号に該当するキューセットの領域へ設定された、ユーザ宅内側のネットワークに対する上りトラヒックの転送の一時停止又は再開に関する情報を受信したとき、
前記優先度クラスキューの番号と、前記キューセットの領域へ設定された情報とを、前記請求項１０記載の動的帯域割当て（ＤＢＡ）スケジューラにおけるパラメータである上り優先度クラスキューの番号及び該番号と対応した時間情報に対応させて動的帯域割当て（ＤＢＡ）スケジューラに設定する手段と、
前記動的帯域割当て（ＤＢＡ）スケジューラにより、前記加入者線終端装置（ＯＮＵ）に対し、上りトラヒックの転送の一時停止及び再開を、優先度クラス単位に設定する手段と、
を備えたことを特徴とする請求項１０記載の加入者収容装置（ＯＬＴ）。
【請求項１８】
請求項１０記載の加入者線終端装置（ＯＮＵ）の上り優先度クラスキューの番号を、論理リンク識別子（ＬＬＩＤ）に関連付けることを特徴とする請求項１０又は１７記載の加入者収容装置（ＯＬＴ）。
【請求項１９】
前記請求項１０記載の加入者線終端装置（ＯＮＵ）の上り優先度クラスキューの番号を、ゲートフレームの中に定義されるグラント番号に関連付けることを特徴とする請求項１０又は１７記載の加入者収容装置（ＯＬＴ）。
【発明の詳細な説明】
【技術分野】
【０００１】
本発明は、サービス毎にネットワーク上の転送優先度が割り当てられた複数種のトラヒックを収容し、該複数種のトラヒックを個別に優先度クラスキューに格納して、該ネットワーク上の転送優先度に応じ、優先度クラスキューからの転送の待ち行列制御を行いながら、ギガビットイーサネット（登録商標）技術を用いたＧＥＰＯＮ（Gigabit Ethernet(登録商標) Passive Optical Network）方式によってデータ通信を行うシステムにおけるトラヒック制御機能を有する加入者線終端装置（ＯＮＵ：Optical Network Unit）及び加入者収容装置（ＯＬＴ：Optical Line Terminator）に関する。
【０００２】
また、本発明は、ＩＥＥＥ８０２．３ａｈによるＧＥＰＯＮシステムのＭＰＣＰ（Multi Point Control Protocol）制御において、各加入者線終端装置（ＯＮＵ）にタイムスロットを割り当て、各加入者線終端装置（ＯＮＵ）からの上り方向バースト信号を時間軸上に多重する多重制御機能に係る。
【０００３】
インターネットの爆発的な普及に伴い、通信事業者はより安価、高速、広帯域のインターネットアクセスサービスを提供するために、ＳＤＨ（Synchronous Digital Hierarchy）伝送方式等の高価なネットワークから、イーサネット（登録商標）技術に代表される経済的かつ広帯域化が可能な伝送技術をＬＡＮ（Local Area Network）からＭＡＮ（Metropolitan Area Network），ＷＡＮ（Wide Area Network）へ適用している。
【０００４】
特に、昨今注目されているＧＥＰＯＮシステムは、近年ＩＥＥＥ８０２．３ａｈによって標準化されたもので、上記イーサネット（登録商標）技術を、従来からファイバ管理コストの低減に寄与しているＰＯＮシステムへ適用し、より経済的なインターネットアクセスを実現できるシステムであり、各通信事業者が積極的に導入を図っている。
【０００５】
このイーサネット（登録商標）技術が経済的である少なくとも一つの理由として、個々の装置が独自の基準クロックを用いてデータ通信を行うことを許容することが挙げられる。これにより、ネットワーク上の一台の装置が他の全装置に対してマスタ・クロックを供給する必要が無いので、複雑高価なフェーズロック・ループ回路が不要となる。
【０００６】
現在実用化されているイーサネット（登録商標）は全てマスタ・クロック方式を採らず、その代わりに、データビット列の中にクロック情報を埋め込んでデータの送受信を行う。このデータ通信の原理は、例えば、ネットワークの上流に位置する装置は、上記のようにデータビット列の中にクロック情報を埋め込んでデータを送信し、下流に位置する装置は、そのデータビット列（上流装置のクロック成分を有する）をデコードした後、自身の基準クロックで更に更に下流方向へデータを送信する。
【０００７】
ここで、各装置の基準クロックの周波数が異なると、データを送信する側の装置から入力されるデータビット列の速度が、下流方向へ出力する速度より早くなることがある。そのために、各イーサネット（登録商標）スイッチ装置、イーサネット（登録商標）ブリッジ装置は、この送受信データビット列の速度差を緩衝するバッファメモリを備え、データビットがオーバフローするのを防ぐ。
【０００８】
しかし、バッファメモリのリソースは有限であるから、トラヒックが上昇すればやがてデータビットがオーバフローとなる。イーサネット（登録商標）では、データはイーサネット（登録商標）フレームのペイロードに格納され通信されるが、不完全なフレームをネットワークへ送信することは望ましくなく、データビットがオーバフローする可能性がある場合はフレーム毎に廃棄し、その結果、フレームロスとなる。
【０００９】
前記ＧＥＰＯＮシステムにおいては、ネットワークの上流の局側に位置する加入者収容装置（ＯＬＴ）から、下流に位置するユーザ宅内装置である加入者線終端装置（ＯＮＵ）への下りデータ通信においては、従来のイーサネット（登録商標）通信と同様に、連続的なデータストリームの通信であり、フレームロスの可能性がある。
【００１０】
一方、加入者線終端装置（ＯＮＵ）から加入者収容装置（ＯＬＴ）への上りデータ通信については、加入者収容装置（ＯＬＴ）に接続されている複数の加入者線終端装置（ＯＮＵ）の各上りデータが衝突することがないように、加入者収容装置（ＯＬＴ）から加入者線終端装置（ＯＮＵ）単位にデータ送信タイミングの制御が行われ、ＴＤＭＡ（Time Division Multiple Access）によって送信される。何れの加入者線終端装置（ＯＮＵ）においても、自加入者線終端装置（ＯＮＵ）以外のデータ送信が行われている時間は、ネットワーク上流へのデータ送信を行うことができないため、送信データをキューイングするためのバッファメモリを備える必要がある。
【００１１】
このとき、加入者収容装置（ＯＬＴ）からのデータ送信タイミング制御の周期が該バッファメモリ量に対し充分速いものでなければ、やはりデータビットがオーバフローし、フレームロスとなる可能性がある。更に、ＩＥＥＥ８０２．３ａｈによるＧＥＰＯＮの場合、加入者線終端装置（ＯＮＵ）と加入者収容装置（ＯＬＴ）の間のＰＯＮ区間は、非特許文献２で規定されている１ギガビット／秒と同様の伝送帯域を有するが、加入者線終端装置（ＯＮＵ）の登録／削除及び上述の上りデータタイミング制御及び上りデータ通信の帯域の割り当てのためのＭＰＣＰ（Multi Point Control Protocol）フレームや、加入者収容装置（ＯＬＴ）が加入者線終端装置（ＯＮＵ）の監視制御を行うためのＯＡＭ（Operations, Administration and Maintenance）フレーム等が伝送され、実際のユーザデータフレームが通信可能な帯域は、上記ＭＰＣＰフレーム、ＯＡＭフレームの伝送帯域を除いた分となる。
【００１２】
一方、該ＧＥＰＯＮシステムにおいて、加入者線終端装置（ＯＮＵ）とユーザ宅内のネットワークとを接続するためのユーザネットワークインタフェース（ＵＮＩ：User Network Interface）と、加入者収容装置（ＯＬＴ）と上位ネットワークとを接続するためのサービスノードインタフェース（ＳＮＩ：Service Node Interface）は、非特許文献２に準拠したインタフェースであり、ＵＮＩ−ＰＯＮ区間と、ＳＮＩ−ＰＯＮ区間は、それぞれの物理速度と論理構造が互いに独立したものとなっている。
【００１３】
然るに、上述したＧＥＰＯＮを利用するデータフレーム伝送システムでは、ユーザネットワークインタフェース（ＵＮＩ）及びサービスノードインタフェース（ＳＮＩ）側の実効的なデータスループットと、ＰＯＮ上の実効的なデータスループットとが相違しているため、上り方向の通信においても下り方向の通信においても、バッファメモリによって、データの入力側と出力側の実効的な速度（レート）差を吸収する必要がある。
【００１４】
特に、データ入力側の実効レートがデータ出力側よりも大きい場合には、データの転送過程で出力データを蓄積するバッファメモリでオーバフローが発生し、通信品質の低下を招く場合がある。近年の通信事業者の提供するインターネットアクセスサービスにおいて、加入者の増加やマルチメディアコンテンツの提供などにより、データトラヒックは上昇傾向にあり、更に、音声情報の伝送など遅延条件の厳しいサービス、インターネットアクセスに代表されるベストエフォートサービスなど、ネットワーク上の転送優先度が異なる複数種別のトラヒックを収容する必要があり、上記ネットワーク上の転送優先度に従ったデータ伝送を実現するためのトラヒック制御が要求される。
【００１５】
また、ネットワークリソースを有効利用し、高品質かつ経済的な伝送システムを実現することが要求され、該要求に応えるＧＥＰＯＮシステムに対する期待は大きく、該要求を満たすための最適なフロー制御方式や、上り方向のデータ通信における送信帯域の割り当て方式などの改善検討が要請されている。
【背景技術】
【００１６】
複数の加入者線終端装置（ＯＮＵ）と１つの加入者収容装置（ＯＬＴ）とをパッシブダブルスター方式（ＰＯＮ）で接続するＰＯＮシステムは、上記各加入者線終端装置（ＯＮＵ）が上記各加入者収容装置（ＯＬＴ）から送信される時分割アクセス権情報に従って、加入者収容装置（ＯＬＴ）へのデータ伝送を制御するネットワークシステムであり、該加入者収容装置（ＯＬＴ）へのデータ伝送を、時分割アクセス権情報を基に制御することにより、他の加入者線終端装置（ＯＮＵ）と光学的なデータ信号の衝突が発生しない通信が実現される。
【００１７】
ＩＥＥＥ８０２．３ａｈ（非特許文献１参照）で規格化されたＧＥＰＯＮシステムのデータ伝送制御では、従来のＩＥＥＥ８０２．３（非特許文献２参照）で規定されるＭＡＣ（Media Access Control）をベースとしたイーサネット（登録商標）のＭＡＣフレームの通信との互換性を持たせており、従来のＭＡＣフレームの通信を上記ＰＯＮ区間における時分割の通信でトランスペアレントに実現するために、ＰＯＮ上の論理的な接続を示すＬＬＩＤ（Logical Link Identifier）と呼ばれる識別子を新たに定義し、該ＬＬＩＤ単位にイーサネット（登録商標）のＭＡＣフレームの送受信制御が行われる。
【００１８】
このＭＡＣフレームの送受信制御は、非特許文献１のＣｌａｕｓｅ６４で定義されているＭＰＣＰ（Multi Point Control Protocol）と呼ばれるＯＮＵ−ＯＬＴ間で終端される通信プロトコルを用いて行われ、各加入者線終端装置（ＯＮＵ）が自装置のキューバッファに蓄積したデータ容量をＲｅｐｏｒｔフレームによって報告し、加入者収容装置（ＯＬＴ）が各加入者線終端装置（ＯＮＵ）のＲｅｐｏｒｔフレームによって報告されたデータ容量を基に、ＤＢＡ（Dynamic Bandwidth Allocation）と呼ばれる動的帯域割当のアルゴリズムに従ってスケジューリングを行い、各加入者線終端装置（ＯＮＵ）に対し、前述の時分割アクセス権情報をGateフレームとして送信し、各加入者線終端装置（ＯＮＵ）がこのGateフレームに従ってデータ通信を行うことによって実現される。
【００１９】
このGateフレームは、より詳しくはＰＯＮ上のデータ送信開始時刻及びデータ送信許可時間を含むＧｒａｎｔと呼ばれる時分割アクセス権情報によって構成される。このＧｒａｎｔは１つのGateフレーム中に独立した時分割アクセス権情報として最大４つまで設定することができる。これらＧＥＰＯＮのデータ伝送の仕組みは、例えば、下記の非特許文献４に記載されている。
【００２０】
従来のＧＥＰＯＮシステムの概略構成については、例えば、特許文献１の図３１に示されている。同図には加入者線終端装置（ＯＮＵ）の上りキューバッファメモリが示されているが、実際には、下りキューバッファメモリ及び加入者収容装置（ＯＬＴ）内部の上り／下りのキューバッファメモリも存在する。これは、上述のように、ＵＮＩ／ＳＮＩの物理速度が異なる場合があるためである。
【００２１】
ＰＯＮ区間は１Ｇｂｐｓの伝送容量を有するが、ＵＮＩ／ＳＮＩはユーザに開放されるインタフェースであり、システムの顧客要求により非特許文献２で規定される１０ＭｂｐＳの伝送容量を有する１０ＢＡＳＥ−Ｔ、１００Ｍｂｐｓの伝送容量を有する１００ＢＡＳＥ−ＴＸのインタフェースを具備する必要がある。然るに上記各キューバッファメモリが必要となる。
【００２２】
また、ＧＥＰＯＮのような複数のユーザトラヒックを直接収容し、多重伝送するアクセス系装置においては、音声情報の伝送など遅延条件が厳しいサービス、インターネットアクセスに代表されるベストエフォートサービスなど、ネットワーク上の転送優先度が異なる複数のトラヒックを更に収容する必要があり、上記ネットワーク上の転送優先度に従ったデータ伝送を実現するためのトラヒック制御が要求される。
【００２３】
具体的には、上記各キューバッファメモリを更に複数のキュー構成とし、該複数キューに対し、サービスクラス（ＣｏＳ：Class Of Service）を割り当てて優先度クラスキューとして構成し、上記転送優先度の異なるトラヒックを収容し、各キューへの入力レートに対し、出力レートが低い場合には、転送優先度が高い優先度クラスキューに収容されるトラヒックを優先して出力するスケジューラ機能を具備する構成とする。
【００２４】
上記複数キューの構成については、非特許文献３のｐ３８、Figure7-8  Illustration of the detailed operation of the Forwarding Processに示されている。また、上記各優先度クラスキュー間のトラヒックのスケジューラ機能については、例えば、下記の非特許文献５に記載されている。
【００２５】
このように、ＧＥＰＯＮシステムでは、装置間の伝送速度差の吸収及び複数キュー間のデータ優先出力機能にキューバッファメモリが必要であるが、これは上述のように、バッファオーバフローによるフレームロスの危険を孕む。キューバッファ容量を大きくすればこの危険性は減少するが、コストアップ及びデータの定常的な遅延を伴うこととなる。
【００２６】
よって、装置間のインタフェースにおいて、非特許文献２のｐｐ．５７１−５８０、Ａｎｎｅｘ３１Ｂ  MAC Control PAUSE operationで示されるフロー制御機能を具備し、フレームロスに対する信頼性を確保している。フロー制御の仕組みについては、例えば、非特許文献５のｐｐ．３０１−３３３に記載されている。
【００２７】
これらの手段を用いて、以下に整理するトラヒック制御が行われている。
（１）  加入者収容装置（ＯＬＴ）における下りトラヒック制御
（１）−１  ＳＮＩからの下りトラヒック
下り優先度クラスキューのデータ蓄積状態を監視し、ＳＮＩに接続される上位ネットワークに対し、非特許文献２のＡｎｎｅｘ３１Ｂに基づいたポーズフレームの送信を行い、上位ネットワークからの下りトラヒックの一時送信停止／送信再開を要求する。
【００２８】
（１）−２  加入者線終端装置（ＯＮＵ）への下りトラヒック
非特許文献２のＡｎｎｅｘ３１Ｂに基づき、加入者線終端装置（ＯＮＵ）からのポーズフレームによる下りトラヒック制御要求に従い、該加入者線終端装置（ＯＮＵ）への下りトラヒックの一時送信停止／送信再開を行う。また、トラヒック送信時は、転送優先度が高い優先度クラスキューに収容されるトラヒックを優先して出力する。
【００２９】
（２）  加入者収容装置（ＯＬＴ）における上りトラヒック制御
（２）−１  ＳＮＩへの上りトラヒック
非特許文献２のＡｎｎｅｘ３１Ｂに基づき、ＳＮＩに接続される上位ネットワークからのポーズフレームによる下りトラヒック制御要求に従い、該上位ネットワークへの上りトラヒックの一時送信停止／送信再開を行う。
【００３０】
（２）−２  加入者線終端装置（ＯＮＵ）からの上りトラヒック
上り優先度クラスキューのデータ蓄積状態を監視し、加入者線終端装置（ＯＮＵ）に対し、非特許文献２のＡｎｎｅｘ３１Ｂに基づいたポーズフレームの送信、或いは、非特許文献１のＣｌａｕｓｅ６４で定義されているＭＰＣＰに基づいたGateフレームによる上りフレーム送信帯域の割り当てをＬＬＩＤ単位にキャンセル或いは許可することによって、加入者線終端装置（ＯＮＵ）への上りトラヒックの一時送信停止／送信再開を要求する。
【００３１】
（３）  加入者線終端装置（ＯＮＵ）における下りトラヒック制御
（３）−１  ＵＮＩへの下りトラヒック
非特許文献２のＡｎｎｅｘ３１Ｂに基づき、ＵＮＩに接続されるユーザ宅内側のネットワークからのポーズフレームによる下りトラヒック制御要求に従い、該ユーザ宅内側のネットワークへの下りトラヒックの一時送信停止／送信再開を行う。また、トラヒック送信時は、転送優先度が高い優先度クラスキューに収容されるトラヒックを優先して出力する。
【００３２】
（３）−２  加入者収容装置（ＯＬＴ）からの下りトラヒック
下り優先度クラスキューのデータ蓄積状態を監視し、加入者収容装置（ＯＬＴ）に対し、非特許文献２のＡｎｎｅｘ３１Ｂに基づいたポーズフレームの送信によって、加入者収容装置（ＯＬＴ）への下りトラヒックの一時送信停止／送信再開を要求する。
【００３３】
（４）  加入者線終端装置（ＯＮＵ）における上りトラヒック制御
（４）−１  ＵＮＩからの上りトラヒック
上り優先度クラスキューのデータ蓄積状態を監視し、ＵＮＩに接続されるユーザ宅内側のネットワークに対し、非特許文献２のＡｎｎｅｘ３１Ｂに基づいたポーズフレームの送信を行い、ユーザ宅内側のネットワークからの下りトラヒックの一時送信停止／送信再開を要求する。
【００３４】
（４）−２  加入者収容装置（ＯＬＴ）への上りトラヒック
非特許文献２のＡｎｎｅｘ３１Ｂに基づき、加入者収容装置（ＯＬＴ）からのポーズフレームによる上りトラヒック制御要求、或いは、非特許文献１のＣｌａｕｓｅ６４で定義されているＭＰＣＰに基づいたGateフレームによる上りフレーム送信帯域の割り当てに従い、加入者収容装置（ＯＬＴ）への上りトラヒックの一時送信停止／送信再開を行う。また、トラヒック送信時は、転送優先度が高い優先度クラスキューに収容されるトラヒックを優先して出力する。
【００３５】
このように、従来のＧＥＰＯＮシステムにおいては、機能プロセス毎に、上述の（１）−１、（１）−２、（２）−１、（２）−２、（３）−１、（３）−２、（４）−１、（４）−４で説明したトラヒック制御を行っていた。ところが、上述の（１）−１、（２）−１、（３）−１、（４）−１に示されるポーズフレームによるトラヒックの一時送信停止／送信再開の制御は、非特許文献２のＡｎｎｅｘ３１Ｂに基づいたＭＡＣレイヤに対して行われており、非特許文献３のｐ３８、Figure7-8  Illustration of the detailed operation of the Forwarding Process、及び同図の関連説明で示されるように、ＭＡＣ実体は優先度クラスキューのトラヒックをスケジューラ機能によりシリアルに処理した部分のため、ネットワーク上の転送優先度が異なる複数のトラヒックを優先度クラスキューに収容し、キュー単位のトラヒック転送優先制御を行っていても、低優先度のサービスクラス（ＣｏＳ）が割り当てられた優先度クラスキューに蓄積した低優先のトラヒックによってフロー制御が行われた場合には、全てのサービスクラス（ＣｏＳ）の優先度クラスキューに対してもフロー制御が機能してしまうため、音声トラヒックなどの遅延条件が厳しい高優先のサービストラヒックの転送までも一時停止することとなる。
【００３６】
上述の（１）−２、（２）−２、（３）−２、（４）−２で説明したポーズフレームによるトラヒックの一時送信停止／送信再開の制御においても、非特許文献１のｐ４２４、Figure64-3  Multi-point MAC Control Functional Block Diagramに示されるように、ＭＡＣレイヤに対して行われており、上記の動作と同様の動作となる。
【００３７】
また、ＧＥＰＯＮでは複数の加入者線終端装置（ＯＮＵ）で上り帯域を共有するため、上述の（１）−２、（３）−２のようにフロー制御が行われる加入者線終端装置（ＯＮＵ）からのポーズフレーム送信により、他のフロー制御が行われない加入者線終端装置（ＯＮＵ）の上り帯域が奪われ、システム全体のスループットを低下させる場合がある。
【００３８】
更に、上りトラヒックにおいて、上述の（４）−１のように加入者線終端装置（ＯＮＵ）がＵＮＩに接続されるユーザ宅内側のネットワークに対し、ポーズフレーム送信による加入者線終端装置（ＯＮＵ）への上りトラヒックの一時送信停止を行っている時は、該ユーザ宅内側のネットワークに存在する端末が加入者線終端装置（ＯＮＵ）への上りトラヒック送信を全て停止しているため、加入者線終端装置（ＯＮＵ）の上りキューバッファにユーザ宅内側のネットワークからのトラヒックが収容されず、加入者収容装置（ＯＬＴ）は該加入者線終端装置（ＯＮＵ）に対し、上記ポーズフレーム送信による加入者線終端装置（ＯＮＵ）への上りトラヒックの一時送信停止を行う前に該加入者線終端装置（ＯＮＵ）の上り優先度クラスキューに蓄積していたトラヒックのＰＯＮへの送信許可以外はＰＯＮ上への上り送信帯域を割り当てる必要がないものである。
【００３９】
上述のように、ＧＥＰＯＮでは複数の加入者線終端装置（ＯＮＵ）で上り帯域を共有するため、必要性のない上り送信帯域の割り当ては、システム全体のスループットを低下させてしまう。これを解決する発明としては、特許文献２及び特許文献３に記載されている。これらの発明は、いずれもユーザ宅内側のネットワークに対するポーズフレーム送信の契機となる、加入者線終端装置（ＯＮＵ）の上り優先度クラスキューのデータの蓄積量の該優先度クラスキューに対し設定された閾値の超過の有無の情報のみを加入者収容装置（ＯＬＴ）に伝え、該情報により必要に応じて加入者線終端装置（ＯＮＵ）の上り送信帯域割り当てをキャンセル或いは行うというものである。
【００４０】
例えば、非特許文献２のＡｎｎｅｘ３１Ｂで規定されるポーズフレームには、ポーズ時間という情報があり、ユーザ端末はこのポーズ時間分、加入者線終端装置（ＯＮＵ）への上りトラヒック送信を一時停止し、ポーズ時間経過後に上りトラヒック送信を再開する。ところが、上記の発明ではこのポーズ時間が加入者収容装置（ＯＬＴ）に伝わらないために、加入者収容装置（ＯＬＴ）で該加入者線終端装置（ＯＮＵ）の上り送信帯域を割り当てるタイミングは、ユーザ宅内側のネットワークに存在する端末が該加入者線終端装置（ＯＮＵ）への上りトラヒック送信を再開し、該加入者線終端装置（ＯＮＵ）の上り優先度クラスキューに再びデータが蓄積し、このデータ蓄積量を加入者収容装置（ＯＬＴ）が取得した後になるため、加入者線終端装置（ＯＮＵ）がユーザ宅内側のネットワークに対するポーズフレーム送信の契機となる情報を加入者収容装置（ＯＬＴ）へ伝えても、システムの定常的なトラヒック遅延をもたらすこととなる。
【００４１】
また、例えば、非特許文献２のＡｎｎｅｘ３１Ｂで規定されるポーズフレームによるフロー制御を行った場合は、前述のようにＭＡＣ単位であるため、どのサービスクラス（ＣｏＳ）のキューバッファにデータが蓄積してフロー制御が行われたかを、加入者収容装置（ＯＬＴ）は知ることができないため、加入者線終端装置（ＯＮＵ）がユーザ宅内側のネットワークに対するポーズフレーム送信の契機となる情報を加入者収容装置（ＯＬＴ）へ伝えても、加入者収容装置（ＯＬＴ）において無駄な上り送信帯域割り当てが必要となり、システム全体のスループットを低下させるとともに、音声トラヒックなどの遅延条件が厳しい高優先のサービストラヒックの転送までも阻害することとなっていた。
【００４２】
上述した本発明に関連する選考技術文献は以下のとおりである。
【非特許文献１】ＩＥＥＥ  Ｓｔｄ  ８０２．３ａｈＴＭ−２００４、Ｐａｒｔ３：Carrier Sense Multiple Access with Collision Detection (CSMA/CD) Access Method and Physical Layer Specifications (Amendment: Media Access Control Parameters, Physical Layers, and Management Parameters for Subscriber Access Networks)
【非特許文献２】ＩＥＥＥ  Ｓｔｄ  ８０２．３，２０００  Ｅｄｉｔｉｏｎ、Ｐａｒｔ３：Carrier sense multiple access with collision detection (CSMA/CD) access method and physical layer specifications
【非特許文献３】ＩＥＥＥ  Ｓｔｄ  ８０２．１Ｄ，１９９８  Ｅｄｉｔｉｏｎ、ｐａｒｔ３：Media Access Control (MAC) Bridges
【非特許文献４】株式会社ＩＤＧジャパン発行、“ＩＤＧ情報通信シリーズ  ＦＴＴＨ教科書”（書籍コード：ＩＳＢＮ４−８７２８０−４９３−７、２００３年）ｐｐ．１５９−１６１
【非特許文献５】日経ＢＰ社発行、“ＬＡＮスイッチング徹底解説”（書籍コード：ＩＳＢＮ４−８２２２−８０９９−３、２００１年）ｐｐ．５０２−５０５
【特許文献１】特開２００４−２８９７８０号公報
【特許文献２】特開２００２−２６９５２号公報
【特許文献３】特開２００４−１５３５０５号公報
【発明の開示】
【発明が解決しようとする課題】
【００４３】
上述したように、音声情報の伝送など遅延条件が厳しいサービス、インターネットアクセスに代表されるベストエフォートサービスなど、ネットワーク上の転送優先度が異なる複数のトラヒックを優先度クラスキューに収容し、該優先度クラスキューに対してサービスクラス（ＣｏＳ）を割り当てても、低優先度のサービスクラス（ＣｏＳ）が割り当てられた優先度クラスキューに蓄積した低優先のトラヒックによって、ＭＡＣレイヤに対してフロー制御が行われた場合には、ネットワーク上の転送優先度に従ったデータ伝送を実現するための厳密なトラヒック制御が行われず、システム全体のスループットの低下や、音声トラヒックなどのサービスへの影響を与えてしまうといった問題を生じていた。
【００４４】
また、加入者線終端装置（ＯＮＵ）がユーザ宅内側のネットワークに対し、ポーズフレーム送信による上りトラヒックの一時送信停止を行っている時は、該ユーザ宅内側の端末が加入者線終端装置（ＯＮＵ）への上りトラヒック送信を全て停止しているため、加入者線終端装置（ＯＮＵ）の上りキューバッファにユーザ宅内側のネットワークからのトラヒックが収容されず、該ポーズフレーム送信以降は、該ポーズフレーム送信以前に該加入者線終端装置（ＯＮＵ）の上り優先度クラスキューに蓄積されたトラヒック以外に対して、加入者収容装置（ＯＬＴ）からは該加入者線終端装置（ＯＮＵ）に、ＰＯＮ上への上り送信帯域を割り当てる必要はない。
【００４５】
しかし、この加入者線終端装置（ＯＮＵ）がユーザ宅内側のネットワークに対して送信したポーズフレームの情報は、加入者収容装置（ＯＬＴ）側に適正に通知していなかったため、加入者収容装置（ＯＬＴ）は、上りトラヒックの無い加入者線終端装置（ＯＮＵ）の上り優先度クラスキューに対して無駄な上り送信帯域を割当てたり、或いはトラヒック遅延を招いたりしていた。ＧＥＰＯＮでは複数の加入者線終端装置（ＯＮＵ）で上り帯域を共有するため、必要性のない上り送信帯域の割り当ては、システム全体のスループットを低下させてしまう。
【００４６】
本発明は、ＧＥＰＯＮシステムを構成する加入者線終端装置（ＯＮＵ）と加入者収容装置（ＯＬＴ）との間のデータ通信において、システム全体のスループットの低下や、通信サービス低下の影響を抑え、ネットワーク上の転送優先度に従ったデータ伝送を実現することができるトラヒック制御機能を有する加入者線終端装置（ＯＮＵ）及び加入者収容装置（ＯＬＴ）を提供することを目的とする。
【課題を解決するための手段】
【００４７】
（１）本発明の加入者収容装置（ＯＬＴ）は、下り優先度クラスキュー毎にデータ蓄積状態を監視し、データ蓄積状態によってポーズフレームを送信する条件に該当した際、ＩＥＥＥ８０２．３Ａｎｎｅｘ３１Ｂに準じたポーズフレームを上位ネットワークへ送信する加入者収容装置（ＯＬＴ）であって、該ポーズフレームに、上記優先度クラスキューの番号を付与する手段を含むことで、上位ネットワークに対し、下りトラヒックの転送の一時停止／再開を、優先度クラス単位に要求するものである。
【００４８】
また、（２）本発明の加入者収容装置（ＯＬＴ）は、上位ネットワークから、上記（１）記載の手段によって優先度クラスキューの番号が付与された、ＩＥＥＥ８０２．３Ａｎｎｅｘ３１Ｂに準じたポーズフレームを受信し、該ポーズフレーム中の優先度クラスキューの番号を上記上り優先度クラスキューのスケジューラにセットする手段と、該スケジューラは、セットされた番号に該当する上り優先度クラスキューに収容されたトラヒックの読み出し動作を、該ポーズフレームのポーズ時間がゼロでないときはその時間分無効にする手段と、該ポーズフレームのポーズ時間がゼロであるときは有効とする手段を含むことによって、上位ネットワークに対する上りトラヒックの転送の一時停止／再開を、優先度クラス単位に行うものである。
【００４９】
また、（３）本発明の加入者線終端装置（ＯＮＵ）は、上り優先度クラスキュー毎にデータ蓄積状態を監視し、データ蓄積状態によってポーズフレームを送信する条件に該当した際、ＩＥＥＥ８０２．３Ａｎｎｅｘ３１Ｂに準じたポーズフレームをユーザ宅内側へ送信する加入者線終端装置（ＯＮＵ）であって、該ポーズフレームに、上記優先度クラスキューの番号を付与する手段を含むことで、ユーザ宅内側のネットワークに対し、上りトラヒックの転送の一時停止／再開を、優先度クラス単位に要求するものである。
【００５０】
また、（４）本発明の加入者線終端装置（ＯＮＵ）は、ユーザ宅内側のネットワークから、上記（１）記載の手段によって優先度クラスキューの番号が付与された、ＩＥＥＥ８０２．３Ａｎｎｅｘ３１Ｂに準じたポーズフレームを受信し、該ポーズフレーム中の優先度クラスキューの番号を上記上り優先度クラスキューのスケジューラにセットする手段と、該スケジューラは、セットされた番号に該当する上り優先度クラスキューに収容されたトラヒックの読み出し動作を、該ポーズフレームのポーズ時間がゼロでないときはその時間分無効にし、該ポーズフレームのポーズ時間がゼロであるときは有効とする手段を含むものである。
【００５１】
また、（５）本発明は、下り優先度クラスキューのデータ蓄積状態によってポーズフレームを送信する条件に該当した際、上記優先度クラスキューの番号を付与する第１の実現手段として、ＩＥＥＥ８０２．１Ｑに準じたＶＬＡＮタグを付与する機能を更に有し、該ＶＬＡＮタグの中のＶＬＡＮ識別子（ＶＩＤ）と関連付けて設定する手段を含む加入者収容装置（ＯＬＴ）であって、同様の手段によって、優先度クラスキューの番号が付与された、ＩＥＥＥ８０２．３Ａｎｎｅｘ３１Ｂに準じたポーズフレームを受信し、該ポーズフレーム中の優先度クラスキューの番号を上り優先度クラスキューのスケジューラにセットする手段と、該スケジューラは、セットされた番号に該当する上り優先度クラスキューに収容されたトラヒックの読み出し動作を、該ポーズフレームのポーズ時間がゼロでないときはその時間分無効にし、該ポーズフレームのポーズ時間がゼロであるときは有効とする手段を更に含むものである。
【００５２】
また、（６）本発明は、上り優先度クラスキューのデータ蓄積状態によってポーズフレームを送信する条件に該当した際、上記優先度クラスキューの番号を付与する第１の実現手段として、ＩＥＥＥ８０２．１Ｑに準じたＶＬＡＮタグを付与する機能を更に有し、該ＶＬＡＮタグの中のＶＩＤと関連付けて設定する手段を含む加入者線終端装置（ＯＮＵ）であって、同様の手段によって、優先度クラスキューの番号が付与された、ＩＥＥＥ８０２．３Ａｎｎｅｘ３１Ｂに準じたポーズフレームを受信し、該ポーズフレーム中の優先度クラスキューの番号を下り優先度クラスキューのスケジューラにセットする手段と、該スケジューラは、セットされた番号に該当する下り優先度クラスキューに収容されたトラヒックの読み出し動作を、該ポーズフレームのポーズ時間がゼロでないときはその時間分無効にし、該ポーズフレームのポーズ時間がゼロであるときは有効とする手段を更に含むものである。
【００５３】
また、（７）本発明は、下り優先度クラスキューのデータ蓄積状態によってポーズフレームを送信する条件に該当した際、上記優先度クラスキューの番号を付与する第２の実現手段として、ＩＥＥＥ８０２．３Ａｎｎｅｘ３１Ｂに準じたポーズフレームのパディング領域を用い、パディング領域の中に設定する手段を含む加入者収容装置（ＯＬＴ）であって、同様の手段によって、優先度クラスキューの番号が付与された、ＩＥＥＥ８０２．３Ａｎｎｅｘ３１Ｂに準じたポーズフレームを受信し、該ポーズフレーム中の優先度クラスキューの番号を上り優先度クラスキューのスケジューラにセットする手段と、該スケジューラは、セットされた番号に該当する上り優先度クラスキューに収容されたトラヒックの読み出しを、該ポーズフレームのポーズ時間がゼロでないときはその時間分無効にし、該ポーズフレームのポーズ時間がゼロであるときは有効とする手段を更に含む。
【００５４】
また、（８）本発明は、上り優先度クラスキューのデータ蓄積状態によってポーズフレームを送信する条件に該当した際、上記優先度クラスキューの番号を付与する第２の実現手段として、ＩＥＥＥ８０２．３Ａｎｎｅｘ３１Ｂに準じたポーズフレームのパディング領域を用い、パディング領域の中に設定する手段を含む加入者線終端装置（ＯＮＵ）であって、同様の手段によって、優先度クラスキューの番号が付与された、ＩＥＥＥ８０２．３Ａｎｎｅｘ３１Ｂに準じたポーズフレームを受信し、該ポーズフレーム中の優先度クラスキューの番号を下り優先度クラスキューのスケジューラにセットする手段と、該スケジューラは、セットされた番号に該当する上り優先度クラスキューに収容されたトラヒックの読み出し動作を、該ポーズフレームのポーズ時間がゼロでないときはその時間分無効にし、該ポーズフレームのポーズ時間がゼロであるときは有効とする手段を更に含む。
【００５５】
また、（９）本発明の加入者収容装置（ＯＬＴ）は、前記（５）記載の手段を実現する加入者収容装置（ＯＬＴ）であって、該手段によって、上位ネットワークに対する下りトラヒックの転送の一時停止／再開、及びその要求を、優先度クラス単位に行うものである。
【００５６】
また、（１０）本発明の加入者収容装置（ＯＬＴ）は、前記（６）記載の手段を実現する加入者収容装置（ＯＬＴ）であって、該手段によって、上位ネットワークに対する下りトラヒックの転送の一時停止／再開、及びその要求を、優先度クラス単位に行うものである。
【００５７】
また、（１１）本発明の加入者線終端装置（ＯＮＵ）は、前記（７）記載の手段を実現する加入者線終端装置（ＯＮＵ）であって、該手段によって、ユーザ宅内側のネットワークに対する上りトラヒックの転送の一時停止／再開、及びその要求を、優先度クラス単位に行うものである。
【００５８】
また、（１２）本発明の加入者線終端装置（ＯＮＵ）は、前記（８）記載の手段を実現する加入者線終端装置（ＯＮＵ）であって、該手段によって、ユーザ宅内側のネットワークに対する上りトラヒックの転送の一時停止／再開、及びその要求を、優先度クラス単位に行うものである。
【００５９】
また、（１３）本発明は、加入者線終端装置（ＯＮＵ）において、下り優先度クラスキュー毎にデータ蓄積状態を監視し、加入者収容装置（ＯＬＴ）に対し、加入者線終端装置（ＯＮＵ）の上り送信帯域の割り当てのために必然的に使用される、ＩＥＥＥ８０２．３ａｈＣｌａｕｓｅ６４で規定されるレポート（Report）フレームを使用し、該レポート（Report）フレームのキュー（Queue）セットを使用して、上記データ蓄積状態によってポーズフレームを送信する条件に該当した上記優先度クラスキューの番号に該当する該キュー（Queue）セットの領域へ情報として設定する手段を含むものである。
【００６０】
また、（１４）本発明は、前記（１３）記載の加入者線終端装置（ＯＮＵ）において、下り優先度クラスキューのデータ蓄積状態によってポーズフレームを送信する条件に該当した上記優先度クラスキューの番号に該当する該キュー（Queue）セットの領域へ設定する情報として、ＩＥＥＥ８０２．３Ａｎｎｅｘ３１Ｂに準じたポーズ時間を、予めＩＥＥＥ８０２．３ａｈＧＥＰＯＮシステムにおける時間管理、データ量管理の統一単位（ＴＱ：Time Quanta）へ時間量子化変換することを更に含むものである。
【００６１】
また、（１５）本発明は、加入者線終端装置（ＯＮＵ）の上り送信帯域の割り当てのために必然的に使用される、ＩＥＥＥ８０２．３ａｈＣｌａｕｓｅ６４で規定されるレポート（Report）フレームにおける、該レポート（Report）フレームの中の、キュー（Queue）セットを使用し、該加入者収容装置（ＯＬＴ）に対し、下りトラヒックの転送の一時停止／再開において、優先度クラスキューの番号に該当する該キュー（Queue）セットの領域へ設定されたポーズ時間を受信し、該優先度クラスキューの番号を上記下り優先度クラスキューのスケジューラへ、該加入者線終端装置（ＯＮＵ）の論理リンク識別子（ＬＬＩＤ）と関連付けてセットする手段と、該スケジューラは、セットされた番号に該当する下り優先度クラスキューに収容されたトラヒックの読み出しを、該キュー（Queue）セットの領域へ設定されたポーズ時間がゼロでないときはその時間分無効にし、該キュー（Queue）セットの領域へ設定されたポーズ時間がゼロであるときは有効とする手段を含む加入者収容装置（ＯＬＴ）であって、加入者線終端装置（ＯＮＵ）に対し下りトラヒックの転送の一時停止／再開を、優先度クラス単位に行うものである。
【００６２】
また、（１６）本発明の加入者線終端装置（ＯＮＵ）は、前記（１４）記載の手段を実現する加入者線終端装置（ＯＮＵ）であって、該手段によって、加入者収容装置（ＯＬＴ）に対する下りトラヒックの転送の一時停止／再開の要求を、優先度クラス単位に行うものである。
【００６３】
また、（１７）本発明の加入者収容装置（ＯＬＴ）は、前記（１５）記載の手段を実現する加入者収容装置（ＯＬＴ）であって、該手段によって、加入者線終端装置（ＯＮＵ）に対する下りトラヒックの転送の一時停止／再開を、優先度クラス単位に行うものである。
【００６４】
また、（１８）本発明は、加入者収容装置（ＯＬＴ）及び加入者線終端装置（ＯＮＵ）において、ＩＥＥＥ８０２．３ａｈＣｌａｕｓｅ６４で規定されるゲート（Gate）フレームを用いて、該加入者収容装置（ＯＬＴ）が該加入者線終端装置（ＯＮＵ）への上り送信帯域割り当てを、該加入者線終端装置（ＯＮＵ）の上り優先度クラスキューの番号ｎと、該番号と対応した時間情報ｔをパラメータとして行うＤＢＡスケジューラを有し、該ＤＢＡスケジューラは、番号ｎに対する上り送信帯域の割り当てを、時間情報ｔがゼロでないときはｔ時間分キャンセルし、時間情報ｔがゼロであるときは許可することによって、ＰＯＮ上の上りトラヒックの転送制御・及び転送を優先度クラス単位に行うものである。
【００６５】
また、（１９）本発明は、前記（１８）記載の加入者収容装置（ＯＬＴ）において、上り優先度クラスキュー毎にデータ蓄積状態を監視し、ＩＥＥＥ８０２．３Ａｎｎｅｘ３１Ｂに準じたフロー制御を加入者線終端装置（ＯＮＵ）に対し行う加入者収容装置（ＯＬＴ）であって、上記データ蓄積状態によって、ＩＥＥＥ８０２．３Ａｎｎｅｘ３１Ｂに準じたポーズフレームを送信する条件に該当した上記優先度クラスキューの番号と、ポーズ時間をそれぞれ上記（１８）記載のＤＢＡスケジューラのパラメータにおけるｎ及びｔに該当させることによって、加入者線終端装置（ＯＮＵ）に対する上りトラヒックの転送の一時停止／再開の優先度クラス単位の要求動作を実現するものである。
【００６６】
また、（２０）本発明は、前記（１９）記載の加入者収容装置（ＯＬＴ）におけるｔについて、ＩＥＥＥ８０２．３Ａｎｎｅｘ３１Ｂに準じたポーズ時間を、予めＩＥＥＥ８０２．３ａｈＧＥＰＯＮシステムにおける時間管理、データ量管理の統一単位（ＴＱ）へ時間量子化変換するものである。
【００６７】
また、（２１）本発明の加入者収容装置（ＯＬＴ）は、前記（２０）記載の手段を実現する加入者収容装置（ＯＬＴ）であって、該手段によって、加入者線終端装置（ＯＮＵ）に対する上りトラヒックの転送の一時停止／再開の要求を、優先度クラス単位に行うものである。
【００６８】
また、（２２）本発明は、上り優先度クラスキュー毎にデータ蓄積状態を監視し、ユーザ宅内側のネットワークに対し、ＩＥＥＥ８０２．３Ａｎｎｅｘ３１Ｂに準じたポーズフレームを送信し、ユーザ宅内側のネットワークに対し上りトラヒックの転送の一時停止／再開を要求する加入者線終端装置（ＯＮＵ）であって、更に、ＩＥＥＥ８０２．３ａｈＣｌａｕｓｅ６４で規定されるレポート（Report）フレームのキュー（Queue）セットを使用して、上記データ蓄積状態によってポーズフレームを送信する条件に該当した上記優先度クラスキューの番号に該当する該キュー（Queue）セットの領域へ情報として設定する手段を含む前記（１８）記載の加入者線終端装置（ＯＮＵ）であって、該情報により、加入者収容装置（ＯＬＴ）に対し、優先度クラス単位に該加入者線終端装置（ＯＮＵ）の上り送信帯域割り当てをキャンセル又は行うという動作を実現させるものである。
【００６９】
また、（２３）本発明は、上り優先度クラスキューのデータ蓄積状態によってポーズフレームを送信する条件に該当した上記優先度クラスキューの番号に該当する該キュー（Queue）セットの領域へ設定する情報の第１の実現手段として、ＩＥＥＥ８０２．３Ａｎｎｅｘ３１Ｂに準じたポーズ時間とする前記（２２）記載の加入者線終端装置（ＯＮＵ）であって、合わせて、該ポーズ時間を、予めＩＥＥＥ８０２．３ａｈＧＥＰＯＮシステムにおける時間管理、データ量管理の統一単位（ＴＱ）へ時間量子化変換するものである。
【００７０】
また、（２４）本発明は、前記（２２）及び（２３）記載の、キュー（Queue）セットの領域へ設定する情報の第２の実現手段として、前記（２１）記載の加入者線終端装置（ＯＮＵ）がユーザ宅内側のネットワークに対し、ＩＥＥＥ８０２．３Ａｎｎｅｘ３１Ｂに準じたポーズフレームの送信によって上りトラヒックの転送の一時停止を要求した場合は、該ポーズ時間を時間量子化（ＴＱ）変換したものを初期値とし、且つＩＥＥＥ８０２．３ａｈＣｌａｕｓｅ６４で規定されるローカルタイムカウンタ（local Time counter）で使用されるクロックを用いてダウンカウントを行うカウンタを有し、該カウンタのカウント値とすることを含み、該ポーズフレームの送信によって上りトラヒックの転送の再開を要求した場合は、次回該ポーズフレームの送信によって上りトラヒックの転送の一時停止を要求するまでの間、上記カウンタのダウンカウント動作をさせずに強制的にカウント値を“０”にすること、を更に含むことにより、前記（２１）記載の加入者線終端装置（ＯＮＵ）において、加入者収容装置（ＯＬＴ）に対し、ユーザ宅内側のネットワークに対し実行した上りトラヒックの転送の一時停止時間の残り時間をリアルタイムに示すことができるものである。
【００７１】
また、（２５）本発明は、前記（２４）記載の第２の実現手段における該カウンタのダウンカウント動作によって、カウント値が“０”となった場合は、初期値へ戻り再度ダウンカウントを開始すると同時に、再度ユーザ宅内側のネットワークに対し、再度ポーズフレームを送信することにより、万が一該再度送信したポーズフレームの前に実行したポーズフレーム送信時のポーズ時間の満了前に加入者収容装置（ＯＬＴ）からの上り送信帯域の割り当てがなくても、ユーザ宅内側のネットワークに対し実行した上りトラヒックの転送の一時停止を延長するものであり、その旨を加入者収容装置（ＯＬＴ）へ通知することによって、加入者収容装置（ＯＬＴ）において再度加入者線終端装置（ＯＮＵ）の上り帯域割り当てのスケジューリングを更新させるものである。
【００７２】
また、（２６）本発明は、前記（２３）記載の加入者線終端装置（ＯＮＵ）からのＩＥＥＥ８０２．３ａｈＣｌａｕｓｅ６４で規定されるレポート（Report）フレームのキュー（Queue）セットを使用し、ユーザ宅内側のネットワークに対し、上りトラヒックの転送の一時停止／再開において、優先度クラスキューの番号に該当する該キュー（Queue）セットの領域へ設定された情報を受信し、該優先度クラスキューの番号と、該キュー（Queue）セットの領域へ設定された情報を、それぞれ前記（１８）記載のＤＢＡスケジューラのパラメータにおけるｎ及びｔに該当させることによって、加入者線終端装置（ＯＮＵ）に対し上りトラヒックの転送の一時停止／再開を、優先度クラス単位に要求する前記（１８）記載の加入者収容装置（ＯＬＴ）であって、加入者収容装置（ＯＬＴ）は加入者線終端装置（ＯＮＵ）のどのサービスクラス（ＣｏＳ）のキューバッファにデータが蓄積し、フロー制御が行われたかを知ることができるものである。
【００７３】
また、（２７）本発明の加入者線終端装置（ＯＮＵ）は、前記（２３）記載の手段を実現する加入者線終端装置（ＯＮＵ）であって、上り優先度クラスキューのデータ蓄積によってユーザ宅内側に対して送信したポーズフレームにおけるポーズ時間を、優先度クラス単位に加入者収容装置（ＯＬＴ）へ通知することによって、加入者線終端装置（ＯＮＵ）に対する上り帯域割り当てのスケジューリングを、優先度クラス単位に行わせるものである。
【００７４】
また、（２８）本発明の加入者線終端装置（ＯＮＵ）は、前記（２５）記載の手段を実現する加入者線終端装置（ＯＮＵ）であって、上り優先度クラスキューのデータ蓄積によってユーザ宅内側に対して送信したポーズフレームにおけるポーズ時間の残り時間を、リアルタイムに優先度クラス単位に加入者収容装置（ＯＬＴ）へ通知することで、加入者収容装置（ＯＬＴ）において、加入者線終端装置（ＯＮＵ）における上り帯域割り当てのスケジューリングをより緻密に行うことができるものである。
【００７５】
また、（２９）本発明の加入者収容装置（ＯＬＴ）は、前記（２６）記載の手段を実現する加入者収容装置（ＯＬＴ）であって、ＰＯＮ区間において、加入者線終端装置（ＯＮＵ）に対し、上りトラヒックの転送の一時停止／再開を、優先度クラス単位に要求することができるものである。
【００７６】
また、（３０）本発明は、前記（１８）記載の加入者収容装置（ＯＬＴ）及び加入者線終端装置（ＯＮＵ）におけるｎについて、第１の実現手段として、ＩＥＥＥ８０２．３ａｈＧＥＰＯＮシステムにおける加入者線終端装置（ＯＮＵ）の上り帯域割り当ての単位、並びに論理パスの番号である論理リンク識別子（ＬＬＩＤ）に関連付けることによって、加入者線終端装置（ＯＮＵ）〜加入者収容装置（ＯＬＴ）間における情報の取り扱いを平易にしたものである。
【００７７】
また、（３１）本発明は、前記（１８）記載の加入者収容装置（ＯＬＴ）及び加入者線終端装置（ＯＮＵ）におけるｎについて、第２の実現手段として、ＩＥＥＥ８０２．３ａｈＣｌａｕｓｅ６４で規定されるゲート（Gate）フレームの中に定義されるグラント番号（Grant＃）に関連付けることによって、加入者線終端装置（ＯＮＵ）〜加入者収容装置（ＯＬＴ）間における情報の取り扱いを平易にしたものである。
【００７８】
また、（３２）本発明の加入者収容装置（ＯＬＴ）は、前記（３０）記載の手段を実現する加入者収容装置（ＯＬＴ）であって、該手段によって、ＰＯＮ区間において、加入者線終端装置（ＯＮＵ）に対し、上りトラヒックの転送の一時停止／再開を、優先度クラス単位に要求するものである。
【００７９】
また、（３３）本発明の加入者収容装置（ＯＬＴ）は、前記（３１）記載の手段を実現する加入者収容装置（ＯＬＴ）であって、該手段によって、ＰＯＮ区間において、加入者線終端装置（ＯＮＵ）に対し、上りトラヒックの転送の一時停止／再開を、優先度クラス単位に要求するものであり、また、１つのゲート（Gate）フレームで最大４つまでの優先度クラスのトラヒックを１度に転送できるものである。
【００８０】
また、（３４）本発明の加入者収容装置（ＯＬＴ）は、前記（３０）記載の手段を実現する加入者線終端装置（ＯＮＵ）であって、該手段によって、ＰＯＮ区間において、加入者収容装置（ＯＬＴ）に対し、上りトラヒックの転送の一時停止／再開を、優先度クラス単位に行うものである。
【００８１】
また、（３５）本発明の加入者線終端装置（ＯＮＵ）は、前記（３１）記載の手段を実現する加入者線終端装置（ＯＮＵ）であって、該手段によって、ＰＯＮ区間において、加入者収容装置（ＯＬＴ）に対し、上りトラヒックの転送の一時停止／再開を、優先度クラス単位に行うものであり、また、加入者収容装置（ＯＬＴ）からの１つのゲート（Gate）フレームに対して最大４つまでの優先度クラスのトラヒックを１度に転送できるものである。
【発明の効果】
【００８２】
本発明によれば、（１）下り優先度クラスキュー毎にデータ蓄積状態を監視し、データ蓄積状態によってポーズフレームを送信する条件に該当した際、ＩＥＥＥ８０２．３Ａｎｎｅｘ３１Ｂに準じたポーズフレームを上位ネットワークへ送信する加入者収容装置（ＯＬＴ）において、該ポーズフレームに、上記優先度クラスキューの番号を付与することで、上位ネットワークに対し下りトラヒックの転送の一時停止／再開を、優先度クラス単位に要求し、低優先度のサービスクラス（ＣｏＳ）が割り当てられた優先度クラスキューに蓄積した低優先のトラヒックによってフロー制御が行われた場合においても、全てのサービスクラス（ＣｏＳ）が割り当てられた優先度クラスキューに対してフロー制御が機能し、音声トラヒックなどの遅延に厳しい高優先のサービストラヒックの転送までも一時停止されることを防止することが可能となる。
【００８３】
また、（２）加入者収容装置（ＯＬＴ）は、上位ネットワークから、優先度クラスキューの番号が付与された、ＩＥＥＥ８０２．３Ａｎｎｅｘ３１Ｂに準じたポーズフレームを受信し、該ポーズフレーム中の優先度クラスキューの番号を上記上り優先度クラスキューのスケジューラにセットし、該スケジューラは、セットされた番号に該当する上り優先度クラスキューに収容されたトラヒックの読み出し動作を、該ポーズフレームのポーズ時間がゼロでないときはその時間分無効にし、該ポーズフレームのポーズ時間がゼロであるときは有効とすることによって、上位ネットワークに対する上りトラヒックの転送の一時停止／再開を、優先度クラス単位に行い、低優先度のサービスクラス（ＣｏＳ）が割り当てられた優先度クラスキューに蓄積した低優先のトラヒックによってフロー制御が行われた場合においても、全てのサービスクラス（ＣｏＳ）が割り当てられた優先度クラスキューに対してフロー制御が機能し、音声トラヒックなどの遅延に厳しい高優先のサービストラヒックの転送までも一時停止されることを防止することが可能となる。
【００８４】
また、（３）上り優先度クラスキュー毎にデータ蓄積状態を監視し、データ蓄積状態によってポーズフレームを送信する条件に該当した際、ＩＥＥＥ８０２．３Ａｎｎｅｘ３１Ｂに準じたポーズフレームをユーザ宅内側へ送信する加入者線終端装置（ＯＮＵ）において、該ポーズフレームに、上記優先度クラスキューの番号を付与することで、ユーザ宅内側のネットワークに対し上りトラヒックの転送の一時停止／再開を、優先度クラス単位に要求し、低優先度のサービスクラス（ＣｏＳ）が割り当てられた優先度クラスキューに蓄積した低優先のトラヒックによってフロー制御が行われた場合においても、全てのサービスクラス（ＣｏＳ）が割り当てられた優先度クラスキューに対してフロー制御が機能し、音声トラヒックなどの遅延に厳しい高優先のサービストラヒックの転送までも一時停止されることを防止することが可能となる。
【００８５】
また、（４）加入者線終端装置（ＯＮＵ）は、ユーザ宅内側のネットワークから、優先度クラスキューの番号が付与された、ＩＥＥＥ８０２．３Ａｎｎｅｘ３１Ｂに準じたポーズフレームを受信し、該ポーズフレーム中の優先度クラスキューの番号を上記上り優先度クラスキューのスケジューラにセットし、該スケジューラは、セットされた番号に該当する上り優先度クラスキューに収容されたトラヒックの読み出しを、該ポーズフレームのポーズ時間がゼロでないときはその時間分無効にし、該ポーズフレームのポーズ時間がゼロであるときは有効とすることによって、ユーザ宅内側のネットワークに対する下りトラヒックの転送の一時停止／再開を、優先度クラス単位に行い、低優先度のサービスクラス（ＣｏＳ）が割り当てられた優先度クラスキューに蓄積した低優先のトラヒックによってフロー制御が行われた場合においても、全てのサービスクラス（ＣｏＳ）が割り当てられた優先度クラスキューに対してフロー制御が機能し、音声トラヒックなどの遅延に厳しい高優先のサービストラヒックの転送までも一時停止されることを防止することが可能となる。
【００８６】
また、（５）加入者収容装置（ＯＬＴ）において、下り優先度クラスキューのデータ蓄積状態によってポーズフレームを送信する条件に該当した際、上記優先度クラスキューの番号を付与する第１の実現手段として、ＩＥＥＥ８０２．１Ｑに準じたＶＬＡＮタグを付与する機能を更に有し、該ＶＬＡＮタグの中のＶＩＤと関連付けて設定することによって、上位ネットワークに対する下りトラヒックの転送の一時停止／再開を、優先度クラス単位に要求することが可能となり、同様の手段によって、優先度クラスキューの番号が付与された、ＩＥＥＥ８０２．３Ａｎｎｅｘ３１Ｂに準じたポーズフレームを受信し、該ポーズフレーム中の優先度クラスキューの番号を、上り優先度クラスキューのスケジューラにセットし、該スケジューラは、セットされた番号に該当する上り優先度クラスキューに収容されたトラヒックの読み出しを、該ポーズフレームのポーズ時間がゼロでないときはその時間分無効にし、該ポーズフレームのポーズ時間がゼロであるときは有効とすることによって、上位ネットワークに対する上りトラヒックの転送の一時停止／再開を、優先度クラス単位に行うことが可能となる。
【００８７】
また、（６）加入者線終端装置（ＯＮＵ）において、上り優先度クラスキューのデータ蓄積状態によってポーズフレームを送信する条件に該当した際、上記優先度クラスキューの番号を付与する第１の実現手段として、ＩＥＥＥ８０２．１Ｑに準じたＶＬＡＮタグを付与する機能を更に有し、該ＶＬＡＮタグの中のＶＩＤと関連付けて設定することによって、ユーザ宅内側のネットワークに対する上りトラヒックの転送の一時停止／再開を、優先度クラス単位に要求することが可能となり、同様の手段によって、優先度クラスキューの番号が付与された、ＩＥＥＥ８０２．３Ａｎｎｅｘ３１Ｂに準じたポーズフレームを受信し、該ポーズフレーム中の優先度クラスキューの番号を下り優先度クラスキューのスケジューラにセットし、該スケジューラは、セットされた番号に該当する下り優先度クラスキューに収容されたトラヒックの読み出しを、該ポーズフレームのポーズ時間がゼロでないときはその時間分無効にし、該ポーズフレームのポーズ時間がゼロであるときは有効とすることによって、ユーザ宅内側のネットワークに対する下りトラヒックの転送の一時停止／再開を、優先度クラス単位に行うことが可能となる。
【００８８】
また、（７）加入者収容装置（ＯＬＴ）において、下り優先度クラスキューのデータ蓄積状態によってポーズフレームを送信する条件に該当した際、上記優先度クラスキューの番号を付与する第２の実現手段として、ＩＥＥＥ８０２．３Ａｎｎｅｘ３１Ｂに準じたポーズフレームのパディング領域を用い、パディング領域の中に設定することによって、上位ネットワークに対する下りトラヒックの転送の一時停止／再開を、優先度クラス単位に要求することが可能となり、同様の手段によって、優先度クラスキューの番号が付与された、ＩＥＥＥ８０２．３Ａｎｎｅｘ３１Ｂに準じたポーズフレームを受信し、該ポーズフレーム中の優先度クラスキューの番号を上り優先度クラスキューのスケジューラにセットし、該スケジューラは、セットされた番号に該当する上り優先度クラスキューに収容されたトラヒックの読み出しを、該ポーズフレームのポーズ時間がゼロでないときはその時間分無効にし、該ポーズフレームのポーズ時間がゼロであるときは有効とすることによって、上位ネットワークに対する上りトラヒックの転送の一時停止／再開を、優先度クラス単位に行うことが可能となる。
【００８９】
また、（８）加入者線終端装置（ＯＮＵ）において、上り優先度クラスキューのデータ蓄積状態によってポーズフレームを送信する条件に該当した際、上記優先度クラスキューの番号を付与する第２の実現手段として、ＩＥＥＥ８０２．３Ａｎｎｅｘ３１Ｂに準じたポーズフレームのパディング領域を用い、パディング領域の中に設定することによって、ユーザ宅内側のネットワークに対する上りトラヒックの転送の一時停止／再開を、優先度クラス単位に要求することが可能となり、同様の手段によって、優先度クラスキューの番号が付与された、ＩＥＥＥ８０２．３Ａｎｎｅｘ３１Ｂに準じたポーズフレームを受信し、該ポーズフレーム中の優先度クラスキューの番号を下り優先度クラスキューのスケジューラにセットし、該スケジューラは、セットされた番号に該当する上り優先度クラスキューに収容されたトラヒックの読み出しを、該ポーズフレームのポーズ時間がゼロでないときはその時間分無効にし、該ポーズフレームのポーズ時間がゼロであるときは有効とすることによって、ユーザ宅内側のネットワークに対する下りトラヒックの転送の一時停止／再開を、優先度クラス単位に行うことが可能となる。
【００９０】
また、（９）前記（５）記載の手段を実現する加入者収容装置（ＯＬＴ）において、該手段によれば、上位ネットワークに対する下りトラヒックの転送の一時停止／再開、及びその要求を、ＩＥＥＥ８０２標準に則った方式によって、優先度クラス単位に行うことが可能となる。
【００９１】
また、（１０）前記（６）記載の手段を実現する加入者収容装置（ＯＬＴ）において、該手段によれば、上位ネットワークに対する下りトラヒックの転送の一時停止／再開、及びその要求を、ＩＥＥＥ８０２標準に則った方式によって、優先度クラス単位に行うことが可能となる。
【００９２】
また、（１１）前記（７）記載の手段を実現する加入者線終端装置（ＯＮＵ）において、該手段によれば、ユーザ宅内側のネットワークに対する上りトラヒックの転送の一時停止／再開、及びその要求を、ベンダ独自の手段による差別化方式によって、優先度クラス単位に行うことが可能となる。
【００９３】
また、（１２）前記（８）記載の手段を実現する加入者線終端装置（ＯＮＵ）において、該手段によれば、ユーザ宅内側のネットワークに対する上りトラヒックの転送の一時停止／再開、及びその要求を、ベンダ独自の手段による差別化方式によって、優先度クラス単位に行うことが可能となる。
【００９４】
また、（１３）加入者線終端装置（ＯＮＵ）において、下り優先度クラスキュー毎にデータ蓄積状態を監視し、加入者収容装置（ＯＬＴ）に対し、加入者線終端装置（ＯＮＵ）の上り送信帯域の割り当てのために必然的に使用される、ＩＥＥＥ８０２．３ａｈＣｌａｕｓｅ６４で規定されるレポート（Report）フレームを使用し、該レポート（Report）フレームのキュー（Queue）セットを使用して、上記データ蓄積状態によってポーズフレームを送信する条件に該当した上記優先度クラスキューの番号に該当する該キュー（Queue）セットの領域へ情報として設定することによって、フロー制御が行われる加入者線終端装置（ＯＮＵ）からのポーズフレーム送信により、他のフロー制御が行われない加入者線終端装置（ＯＮＵ）の上り帯域が奪われ、システム全体のスループットを低下させることなく、ＰＯＮ区間において加入者収容装置（ＯＬＴ）に対し、下りトラヒックの転送の一時停止／再開を、優先度クラス単位に要求することが可能となる。
【００９５】
また、（１４）前記（１３）記載の加入者線終端装置（ＯＮＵ）において、下り優先度クラスキューのデータ蓄積状態によってポーズフレームを送信する条件に該当した上記優先度クラスキューの番号に該当する該キュー（Queue）セットの領域へ設定する情報として、ＩＥＥＥ８０２．３Ａｎｎｅｘ３１Ｂに準じたポーズ時間を、予めＩＥＥＥ８０２．３ａｈＧＥＰＯＮシステムにおける時間管理、データ量管理の統一単位（ＴＱ）時間量子化変換することによって、加入者線終端装置（ＯＮＵ）〜加入者収容装置（ＯＬＴ）間における情報の取り扱いを平易にすることができるとともに、複数の加入者線終端装置（ＯＮＵ）の情報を個別に扱わなければならない加入者収容装置（ＯＬＴ）における、単位換算の処理の負担を回避することが可能となる。
【００９６】
また、（１５）加入者収容装置（ＯＬＴ）において、加入者線終端装置（ＯＮＵ）の上り送信帯域の割り当てのために必然的に使用される、ＩＥＥＥ８０２．３ａｈＣｌａｕｓｅ６４で規定されるレポート（Report）フレームにおける、該レポート（Report）フレームの中の、キュー（Queue）セットを使用し、該加入者収容装置（ＯＬＴ）に対し、下りトラヒックの転送の一時停止／再開において、優先度クラスキューの番号に該当する該キュー（Queue）セットの領域へ設定されたポーズ時間を受信し、該優先度クラスキューの番号を上記下り優先度クラスキューのスケジューラへ該加入者線終端装置（ＯＮＵ）のＬＬＩＤと関連付けてセットし、該スケジューラは、セットされた番号に該当する下り優先度クラスキューに収容されたトラヒックの読み出しを、該キュー（Queue）セットの領域へ設定されたポーズ時間がゼロでないときはその時間分無効にし、該キュー（Queue）セットの領域へ設定されたポーズ時間がゼロであるときは有効とすることによって、フロー制御が行われる加入者線終端装置（ＯＮＵ）からのポーズフレーム送信により、他のフロー制御が行われない加入者線終端装置（ＯＮＵ）の上り帯域が奪われ、システム全体のスループットを低下させることなく、ＰＯＮ区間において加入者線終端装置（ＯＮＵ）に対し、下りトラヒックの転送の一時停止／再開を、優先度クラス単位に行うことが可能となる。
【００９７】
また、（１６）前記（１４）記載の手段を実現する加入者線終端装置（ＯＮＵ）において、該手段によれば、加入者収容装置（ＯＬＴ）に対する下りトラヒックの転送の一時停止／再開の要求を、ＩＥＥＥ８０２標準に則った方式によって、優先度クラス単位に行うことが可能となる。
また、（１７）前記（１５）記載の手段を実現する加入者収容装置（ＯＬＴ）において、該手段によれば、加入者線終端装置（ＯＮＵ）に対する下りトラヒックの転送の一時停止／再開を、ＩＥＥＥ８０２標準に則った方式によって、優先度クラス単位に行うことが可能となる。
【００９８】
また、（１８）加入者収容装置（ＯＬＴ）及び加入者線終端装置（ＯＮＵ）において、ＩＥＥＥ８０２．３ａｈＣｌａｕｓｅ６４で規定されるゲート（Gate）フレームを用いて、該加入者収容装置（ＯＬＴ）が該加入者線終端装置（ＯＮＵ）への上り送信帯域割り当てを該加入者線終端装置（ＯＮＵ）の上り優先度クラスキューの番号ｎと、該番号と対応した時間情報ｔをパラメータとして行うＤＢＡスケジューラを有し、該ＤＢＡスケジューラは、番号ｎに対する上り送信帯域の割り当てを、時間情報ｔがゼロでないときはｔ時間分キャンセルし、時間情報ｔがゼロであるときは許可することによって、ＰＯＮ上の上りトラヒックの転送制御・及び転送を優先度クラス単位に行うことができ、低優先度のサービスクラス（ＣｏＳ）が割り当てられた優先度クラスキューに蓄積した低優先のトラヒックによってフロー制御が行われた場合においても、全てのサービスクラス（ＣｏＳ）が割り当てられた優先度クラスキューに対してフロー制御が機能し、音声トラヒックなどの遅延に厳しい高優先のサービストラヒックの転送までも一時停止されることを防止することが可能となる。
【００９９】
また、（１９）前記（１８）記載の加入者収容装置（ＯＬＴ）は、上り優先度クラスキュー毎にデータ蓄積状態を監視し、ＩＥＥＥ８０２．３Ａｎｎｅｘ３１Ｂに準じたフロー制御を加入者線終端装置（ＯＮＵ）に対し行い、上記データ蓄積状態によって、ＩＥＥＥ８０２．３Ａｎｎｅｘ３１Ｂに準じたポーズフレームを送信する条件に該当した上記優先度クラスキューの番号と、ポーズ時間をそれぞれ上記（１８）記載のＤＢＡスケジューラのパラメータにおけるｎ及びｔに該当させることによって、加入者線終端装置（ＯＮＵ）へのポーズフレームの送信といった特殊な実現手段を必要とせずに、加入者線終端装置（ＯＮＵ）の上り送信帯域の割り当てのために必然的に使用される、ＩＥＥＥ８０２．３ａｈＣｌａｕｓｅ６４で規定されるゲート（Gate）フレームを用いた、加入者線終端装置（ＯＮＵ）に対する上りトラヒックの転送の一時停止／再開の優先度クラス単位の要求動作を実現可能となる。
【０１００】
また、（２０）前記（１９）記載の加入者収容装置（ＯＬＴ）におけるｔについては、ＩＥＥＥ８０２．３Ａｎｎｅｘ３１Ｂに準じたポーズ時間を、予めＩＥＥＥ８０２．３ａｈＧＥＰＯＮシステムにおける時間管理、データ量管理の統一単位（ＴＱ）へ時間量子化変換することによって、加入者線終端装置（ＯＮＵ）〜加入者収容装置（ＯＬＴ）間における情報の取り扱いを平易にすることができる。
【０１０１】
また、（２１）前記２０記載の手段を実現する加入者収容装置（ＯＬＴ）において、該手段によれば、加入者線終端装置（ＯＮＵ）に対する上りトラヒックの転送の一時停止／再開の要求を、ＩＥＥＥ８０２標準に則った方式によって、優先度クラス単位に行うことが可能となる。
【０１０２】
また、（２２）前記（１８）記載の加入者線終端装置（ＯＮＵ）は、上り優先度クラスキュー毎にデータ蓄積状態を監視し、ユーザ宅内側のネットワークに対しＩＥＥＥ８０２．３Ａｎｎｅｘ３１Ｂに準じたポーズフレームを送信し、ユーザ宅内側のネットワークに対し上りトラヒックの転送の一時停止／再開を要求し、更に、ＩＥＥＥ８０２．３ａｈＣｌａｕｓｅ６４で規定されるレポート（Report）フレームのキュー（Queue）セットを使用して、上記データ蓄積状態によってポーズフレームを送信する条件に該当した上記優先度クラスキューの番号に該当する該キュー（Queue）セットの領域へ情報として設定することによって、該情報により、加入者収容装置（ＯＬＴ）に対し、優先度クラス単位に該加入者線終端装置（ＯＮＵ）の上り送信帯域割り当てをキャンセル又は行うという動作を実現させることができ、必要性のない上り送信帯域の割り当てを防止させるとともに、システム全体のスループット低下を抑止させることが可能となる。
【０１０３】
また、（２３）前記（２２）記載の加入者線終端装置（ＯＮＵ）において、上り優先度クラスキューのデータ蓄積状態によってポーズフレームを送信する条件に該当した上記優先度クラスキューの番号に該当する該キュー（Queue）セットの領域へ設定する情報の第１の実現手段は、ＩＥＥＥ８０２．３Ａｎｎｅｘ３１Ｂに準じたポーズ時間とし、該ポーズ時間を加入者収容装置（ＯＬＴ）へ伝えることによって、加入者収容装置（ＯＬＴ）において、該加入者線終端装置（ＯＮＵ）の上り送信帯域を割り当てるタイミングは、ユーザ宅内側のネットワークに存在する端末が該加入者線終端装置（ＯＮＵ）への上りトラヒック送信を再開し、該加入者線終端装置（ＯＮＵ）の上り優先度クラスキューに再びデータが蓄積し、このデータ蓄積量を加入者収容装置（ＯＬＴ）が取得した後になることを防止し、システムの定常的なトラヒック遅延を抑止することが可能となる。
【０１０４】
合わせて、該ポーズ時間を、予めＩＥＥＥ８０２．３ａｈＧＥＰＯＮシステムにおける時間管理、データ量管理の統一単位（ＴＱ）に時間量子化変換することによって、加入者線終端装置（ＯＮＵ）〜加入者収容装置（ＯＬＴ）間における情報の取り扱いを平易にすることができるとともに、複数の加入者線終端装置（ＯＮＵ）の情報を個別に扱わなければならない加入者収容装置（ＯＬＴ）における、単位換算の処理の負担を回避することが可能となる。
【０１０５】
また、（２４）前記（２２）及び（２３）記載の、キュー（Queue）セットの領域へ設定する情報の第２の実現手段は、前記（２１）記載の加入者線終端装置（ＯＮＵ）がユーザ宅内側のネットワークに対し、ＩＥＥＥ８０２．３Ａｎｎｅｘ３１Ｂに準じたポーズフレームの送信によって、上りトラヒックの転送の一時停止を要求した場合は、該ポーズ時間を時間量子化（ＴＱ）変換したものを初期値とし、且つ、ＩＥＥＥ８０２．３ａｈＣｌａｕｓｅ６４で規定されるローカルタイムカウンタ（local Time counter）で使用されるクロック信号を用いてダウンカウントを行い、該カウンタのカウント値とすることを含み、該ポーズフレームの送信によって上りトラヒックの転送の再開を要求した場合は、次回のポーズフレームの送信によって上りトラヒックの転送の一時停止を要求するまでの間、上記カウンタのダウンカウント動作をさせずに強制的にカウント値を“０”にすることにより、前記（２１）記載の加入者線終端装置（ＯＮＵ）は、加入者収容装置（ＯＬＴ）に対し、ユーザ宅内側のネットワークに対し実行した上りトラヒックの転送の一時停止時間の残り時間をリアルタイムに示すことができ、加入者収容装置（ＯＬＴ）においては、加入者線終端装置（ＯＮＵ）における上り帯域割り当てのスケジューリングをより緻密に行うことができ、システム全体のスループットを向上させることが可能となる。
【０１０６】
また、（２５）前記（２４）記載の第２の実現手段における該カウンタのダウンカウント動作によって、カウント値が“０”となった場合は、初期値へ戻り再度ダウンカウントを開始すると同時に、再度ユーザ宅内側のネットワークに対し再度ポーズフレームを送信することにより、万が一、該再度送信したポーズフレームの前に実行したポーズフレーム送信時のポーズ時間の満了前に加入者収容装置（ＯＬＴ）からの上り送信帯域の割り当てがなくても、ユーザ宅内側のネットワークに対し実行した上りトラヒックの転送の一時停止を延長することによって、フレームロスを防止することができるとともに、その旨を加入者収容装置（ＯＬＴ）へ通知することによって、加入者収容装置（ＯＬＴ）において特別なルーチンを必要とせず、再度加入者線終端装置（ＯＮＵ）の上り帯域割り当てのスケジューリングを更新させることが可能となり、加入者収容装置（ＯＬＴ）における加入者線終端装置（ＯＮＵ）の上り帯域割り当てのスケジューリングのアルゴリズムを簡素化することができる。
【０１０７】
また、（２６）前記（１８）記載の加入者収容装置（ＯＬＴ）において、前記（２３）記載の加入者線終端装置（ＯＮＵ）から、ＩＥＥＥ８０２．３ａｈＣｌａｕｓｅ６４で規定されるレポート（Report）フレームのキュー（Queue）セットにより、ユーザ宅内側のネットワークに対する上りトラヒックの転送の一時停止／再開における優先度クラスキューの番号に該当する該キュー（Queue）セットの領域ヘ設定された情報を受信し、該優先度クラスキューの番号と、該キュー（Queue）セットの領域へ設定された情報を、それぞれ前記（１８）記載のＤＢＡスケジューラのパラメータにおけるｎ及びｔに該当させることによって、加入者線終端装置（ＯＮＵ）に対し、上りトラヒックの転送の一時停止／再開を、優先度クラス単位に要求することができ、低優先度のサービスクラス（ＣｏＳ）が割り当てられた優先度クラスキューに蓄積した低優先のトラヒックによってフロー制御が行われた場合においても、加入者収容装置（ＯＬＴ）はどのサービスクラス（ＣｏＳ）のキューバッファにデータが蓄積し、フロー制御が行われたかを知ることができるため、加入者収容装置（ＯＬＴ）において無駄な上り送信帯域割り当てを無くすことができ、システム全体のスループットを向上させるとともに、音声トラヒックなどの遅延に厳しい高優先のサービストラヒックの転送までも阻害することを防止することが可能となる。
【０１０８】
また、（２７）前記（２３）記載の手段を実現する加入者線終端装置（ＯＮＵ）において、上り優先度クラスキューのデータ蓄積によってユーザ宅内側に対して送信したポーズフレームにおけるポーズ時間を、優先度クラス単位に加入者収容装置（ＯＬＴ）へ通知することで、加入者線終端装置（ＯＮＵ）に対する上り帯域割り当てのスケジューリングを、ＩＥＥＥ８０２標準に則った方式によって、優先度クラス単位に行わせることが可能となる。
【０１０９】
また、（２８）前記（２５）記載の手段を実現する加入者線終端装置（ＯＮＵ）において、上り優先度クラスキューのデータ蓄積によってユーザ宅内側に対して送信したポーズフレームにおけるポーズ時間の残り時間をリアルタイムに優先度クラス単位に加入者収容装置（ＯＬＴ）へ通知することができ、これによって、加入者収容装置（ＯＬＴ）においては、加入者線終端装置（ＯＮＵ）における上り帯域割り当てのスケジューリングをより緻密に行うことができ、システム全体のスループットを向上させることが可能となる。
【０１１０】
また、（２９）前記（２６）記載の手段を実現する加入者収容装置（ＯＬＴ）において、ＰＯＮ区間で加入者線終端装置（ＯＮＵ）に対し、上りトラヒックの転送の一時停止／再開を、ＩＥＥＥ８０２標準に則った方式によって、優先度クラス単位に要求することができる。
【０１１１】
また、（３０）前記（１８）記載の加入者収容装置（ＯＬＴ）及び加入者線終端装置（ＯＮＵ）におけるｎについて、第１の実現手段として、ＩＥＥＥ８０２．３ａｈＧＥＰＯＮシステムにおける加入者線終端装置（ＯＮＵ）の上り帯域割り当ての単位、及び論理パスの番号である論理リンク識別子（ＬＬＩＤ）に関連付けることによって、加入者線終端装置（ＯＮＵ）〜加入者収容装置（ＯＬＴ）間における情報の取り扱いを平易にすることができるとともに、ＩＥＥＥ８０２標準に則った方式によって実現が可能となる。
【０１１２】
また、（３１）前記（１８）記載の加入者収容装置（ＯＬＴ）及び加入者線終端装置（ＯＮＵ）におけるｎについて、第２の実現手段として、ＩＥＥＥ８０２．３ａｈＣｌａｕｓｅ６４で規定されるゲート（Gate）フレームの中に定義されるグラント番号（Grant＃）に関連付けることによって、加入者線終端装置（ＯＮＵ）〜加入者収容装置（ＯＬＴ）間における情報の取り扱いを平易にすることができるとともに、ＩＥＥＥ８０２標準に則った方式によって実現することが可能となる。
【０１１３】
また、（３２）前記（３０）記載の手段を実現する加入者収容装置（ＯＬＴ）において、該手段によれば、ＰＯＮ区間で加入者線終端装置（ＯＮＵ）に対し、上りトラヒックの転送の一時停止／再開を、ＩＥＥＥ８０２標準に則った方式によって、優先度クラス単位に要求することができる。
【０１１４】
また、（３３）前記（３１）記載の手段を実現する加入者収容装置（ＯＬＴ）において、該手段によれば、ＰＯＮ区間で加入者線終端装置（ＯＮＵ）に対し、上りトラヒックの転送の一時停止／再開を、ＩＥＥＥ８０２標準に則った方式によって、優先度クラス単位に要求することができる。また、１つのゲート（Gate）フレームで最大４つまでの優先度クラスのトラヒックを１度に転送させることができ、システム全体のスループットを向上させることが可能となる。
【０１１５】
また、（３４）前記（３０）記載の手段を実現する加入者線終端装置（ＯＮＵ）において、該手段によれば、ＰＯＮ区間で加入者収容装置（ＯＬＴ）に対し、上りトラヒックの転送の一時停止／再開を、ＩＥＥＥ８０２標準に則った方式によって、優先度クラス単位に行うことができる。
【０１１６】
また、（３５）前記（３１）記載の手段を実現する加入者線終端装置（ＯＮＵ）において、該手段によれば、ＰＯＮ区間で加入者収容装置（ＯＬＴ）に対し、上りトラヒックの転送の一時停止／再開を、ＩＥＥＥ８０２標準に則った方式によって、優先度クラス単位に行うことができる。また、加入者収容装置（ＯＬＴ）からの１つのゲート（Gate）フレームに対して最大４つまでの優先度クラスのトラヒックを１度に転送させることができ、システム全体のスループットを向上させることが可能となる。
【発明を実施するための最良の形態】
【０１１７】
複数の加入者線終端装置（ＯＮＵ）と加入者収容装置（ＯＬＴ）をパッシブダブルスター方式の受動光ネットワーク（ＰＯＮ）によって接続し、該受動光ネットワーク（ＰＯＮ）の物理レイヤ終端、及び加入者線終端装置（ＯＮＵ）との間の物理回線における帯域制御機能を有し、上位ネットワークへ接続するためのサービスノードインタフェース（ＳＮＩ）を有する加入者線端局装置（ＯＬＴ）と、ユーザ宅内側のネットワークと接続するためのユーザネットワークインタフェース（ＵＮＩ）を有する加入者線終端装置（ＯＮＵ）とから成る受動光ネットワーク（ＰＯＮ）システムであり、更にネットワーク上の転送優先度が異なる複数のトラヒックを各装置内に転送優先度毎に割り当てられた複数の上りデータ転送用の優先度クラスキュー（以下、「上り優先度クラスキュー」という）と、下りデータ転送用の優先度クラスキュー（以下、「下り優先度クラスキュー」という）とにそれぞれ収容し、前記優先度クラスキュー単位にデータ転送のスケジューリングを行い、該スケジューリングに従って前記各優先度クラスキューに収容されたトラヒックを読み出して所定のインタフェースへ転送することによって、上記ネットワーク上の転送優先度に従ったデータ伝送を実現する受動光ネットワーク（ＰＯＮ）システムについて、以下に説明する。
図１は、本発明の実施の形態におけるＧＥＰＯＮシステム全体を示す構成図である。ユーザ宅内側に設置される加入者線終端装置である加入者線終端装置（ＯＮＵ）１１は、ユーザ宅内側ネットワーク１２をユーザネットワークインタフェース（ＵＮＩ）１３によって収容する。ユーザネットワークインタフェース（ＵＮＩ）１３にはイーサネット（登録商標）のインタフェースが用いられる。
【０１１８】
一方、局側に設置される加入者収容装置である加入者収容装置（ＯＬＴ）１４は、インターネットサービスプロバイダ等へ接続するための上位ネットワーク１５に、サービスノードインタフェース（ＳＮＩ）１６によって接続される。サービスノードインタフェース（ＳＮＩ）１６にはイーサネット（登録商標）のインタフェースが用いられる。加入者収容装置（ＯＬＴ）は、複数の加入者線終端装置（ＯＮＵ）と、光学スプリッタ１７によりパッシブダブルスター方式で受動光ネットワーク（ＰＯＮ）１８によって接続される。
【０１１９】
図２及び図３は、本実施の形態における加入者収容装置（ＯＬＴ）１４及び加入者線終端装置（ＯＮＵ）１１の内部構成を示すブロック図である。まず、加入者収容装置（ＯＬＴ）１４の内部構成について説明する。加入者収容装置（ＯＬＴ）１４は、ＧＥＰＯＮシステムの制御を行うＭＰＣＰ部２１を備えている。ＭＰＣＰ（Multi Point Control Protocol）の機能の詳細については非特許文献１又は非特許文献４に述べられているので省略し、本実施の形態に関連する部分のみ記す。
【０１２０】
加入者収容装置（ＯＬＴ）１４と加入者線終端装置（ＯＮＵ）１１とが通信するイーサネット（登録商標）フレームとしては、一般のデータを伝送するユーザフレームと、ＰＯＮ制御を行うためのレポート（Report）フレーム、ゲート（Gate）フレームなどのＭＰＣＰ（Multi Point Control Protocol）フレームに大別される。レポート（Report）フレームは、加入者線終端装置（ＯＮＵ）１１から加入者収容装置（ＯＬＴ）１４への上り方向にのみ送信されるフレームであり、加入者線終端装置（ＯＮＵ）１１は、このフレームを使用して加入者収容装置（ＯＬＴ）１４に対し、上り送信帯域割り当てを要求するための優先度クラスキュー毎のデータ蓄積量を報告する。
【０１２１】
一方、ゲート（Gate）フレームは、加入者収容装置（ＯＬＴ）１４から加入者線終端装置（ＯＮＵ）１１への下り方向にのみ送信されるフレームであり、前記レポート（Report）フレームによって要求された複数の加入者線終端装置（ＯＮＵ）１１からの優先度クラスキュー毎のデータ蓄積量を基に、動的帯域割当て（ＤＢＡ：Dynamic Bandwidth Allocation）に従ってスケジューリングを行い、各加入者線終端装置（ＯＮＵ）１１に対し、前述の時分割アクセス権情報を該ゲート（Gate）フレームとして送信し、各加入者線終端装置（ＯＮＵ）１１がこのゲート（Gate）フレームに従ってデータ通信を行うことによってＰＯＮ制御を実現させている。
【０１２２】
このゲート（Gate）フレームは、より詳しくは受動光ネットワーク（ＰＯＮ）１８上のデータ送信開始時刻とデータ送信許可時間を含むグラント（Grant）と呼ぶ時分割アクセス権情報によって構成される。このグラント（Grant）は１つのゲート（Gate）フレーム中に独立した時分割アクセス権情報として最大４つまで使用することができる。
【０１２３】
ＭＰＣＰ部２１の上りデータ分離部２１−１は、加入者線終端装置（ＯＮＵ）１１からの上りトラヒックに対し、上述のユーザフレームとレポート（Report）フレームとを分離するもので、例えば半導体ロジックとランダムアクセスメモリによって構成され、データを一時的に格納して、パターン検出回路とセレクタにより条件に一致した情報を有するデータの分別を行うものである。
【０１２４】
上りデータ分離部２１−１によって分別されたレポート（Report）フレームは、レポート（Report）フレーム受信・解析部２１−２によって内容が解析され、ＤＢＡスケジューラ部２１−３によって、複数の加入者線終端装置（ＯＮＵ）１４に対する上り帯域割り当てのスケジューリングが行われる。
【０１２５】
スケジューリングされた結果を基に、Ｇａｔｅフレーム作成・送信部２１−４は、加入者線終端装置（ＯＮＵ）１１に対する次回の送信開始時刻とデータ送信許可時間を含むグラント（Grant）を作成し、ゲート（Gate）フレームに設定して加入者線終端装置（ＯＮＵ）１１へ送信する。下りデータ多重部２１−５は、下りユーザフレームと上述のグラント（Grant）フレームを調停・多重し、加入者線終端装置（ＯＮＵ）１１へ送信する。
【０１２６】
Ｒｅｐｏｒｔフレーム受信・解析部２１−２、Ｇａｔｅフレーム作成・送信部２１−４及び下りデータ多重部２１−５は、例えばランダムアクセスメモリによって構成され、ＤＢＡスケジューラ部２１−３は、例えば中央処理演算装置とＤＢＡのスケジューリングアルゴリズムを実現するソフトウェアによって構成される。
【０１２７】
上りデータ分離部２１−１への加入者線終端装置（ＯＮＵ）１１からの上りトラヒック、下りデータ多重部２１−５からの加入者線終端装置（ＯＮＵ）１１への下りユーザフレームは、ＰＯＮ終端部２２を介して加入者線終端装置（ＯＮＵ）１１との間で送受される。
【０１２８】
ＰＯＮ終端部２２は、複数の加入者線終端装置（ＯＮＵ）１１とデータ通信を行うに当たり、ディジタル符号化された電気信号を光信号に変換し、加入者線終端装置（ＯＮＵ）１１へ送信するとともに、複数の加入者線終端装置（ＯＮＵ）１１から時分割で伝送される上りバースト光信号の増幅を行い、ディジタル符号化された電気信号に変換するものであり、例えばレーザダイオード、フォトダイオードなどの半導体が用いられる。
【０１２９】
また、電気信号に変換された後において、電気信号からのクロック再生を行う機能を有する。これは、例えば電圧制御型水晶発信器等によるＰＬＬ（Phase Locked Loop）回路により実現される。一方、加入者収容装置（ＯＬＴ）１４と上位ネットワーク１５が通信するイーサネット（登録商標）フレームとしては、一般のデータを伝送するユーザフレームと、ＩＥＥＥ８０２．３Ａｎｎｅｘ３１Ｂに準じたフロー制御を行うためのポーズフレームがある。
【０１３０】
下りデータ分離部２３は、上位ネットワーク１５からの下りトラヒックに対し、上述のユーザフレームとポーズフレームとを分離するもので、例えば半導体ロジックとランダムアクセスメモリによって構成され、データを一時的に格納してパターン検出回路とセレクタにより条件に一致した情報を有するデータの分別を行うものである。
【０１３１】
上りデータ分離部２１−１及び下りデータ分離部２３によって分別されたユーザフレームは、それぞれ上りクラシファイア部２４、下りクラシファイア部２５によってユーザフレームに付与される転送優先度情報を元に、それぞれ対応するサービスクラス（ＣｏＳ）の優先度クラスキューへ振り分けられる。
上りトラヒックは、上りキューバッファ部２６の中の複数の上り優先度クラスキュー２７へ、下りトラヒックは下りキューバッファ部２８の中の複数の下り優先度クラスキュー２９へ、それぞれ振り分けられる。上述のユーザフレームに付与される転送優先度情報は、ＩＰ（Internet Protocol）フレームのＴｏＳ（Type of Service）値や、ＩＥＥＥ８０２．１Ｑ  ＶＬＡＮタグ中のUser Priority値、ＭＡＣアドレス、Ether Type値（Etherは登録商標）などが使用される。
【０１３２】
これら転送優先度情報をどの優先度クラスキューへ振り分けるかのポリシーについてはシステム依存である。上りクラシファイア部２４、下りクラシファイア部２５は、例えば半導体ロジックとランダムアクセスメモリによって構成され、データを一時的に格納してパターン検出回路とセレクタにより条件に一致した情報を有するデータの分別を行うものである。
【０１３３】
上り優先度クラスキュー２７、下り優先度クラスキュー２９は、例えばランダムアクセスメモリによって構成される。上り優先度クラスキュー２７、下り優先度クラスキュー２９によって転送優先度別に振り分けられたユーザフレームは、上りスケジューラ部２１０、下りスケジューラ部２１１によって、それぞれ転送優先度に従った待ち行列制御が行われた後、それぞれ上りデータ多重部２１２、下りデータ多重部２１−５へ転送される。
【０１３４】
上りスケジューラ部２１０、下りスケジューラ部２１１は、例えば中央処理演算装置とスケジューリングアルゴリズムを実現するソフトウェアによって構成される。上りデータ多重部２１２は、下りデータ多重部２１−５と同様の動作、構成によるものである。
【０１３５】
下りデータ分離部２３によって分別されたポーズフレームは、ポーズフレーム受信・解析部２１３によって内容が解析され、該ポーズフレーム中に付与された優先度クラスキューの番号とそのポーズフレームに示されたポーズ時間を抽出し、上りスケジューラ部２１０にセットする。
【０１３６】
上りスケジューラ部２１０は、セットされた該ポーズ時間の間、該優先度クラスキューに対応する優先度クラスキュー内のトラヒックの転送の一時停止／再開を行う。ポーズフレーム受信・解析部２１３は、例えば中央処理演算装置とソフトウェアによって実現される。
【０１３７】
下りデータ蓄積監視部２１５は、下り優先度クラスキュー２９に蓄積するデータ量を監視し、各優先度クラスキュー２９に設定された閾値を上回った、或いは下回った際、ポーズフレーム作成・送信部２１６、及びＣｏＳ情報部付与部２１７へイベントを送信し、合わせて該イベントが発生した優先度クラスキューの番号を送信する。
【０１３８】
例えば、該蓄積データ量が閾値を上回った場合は、優先度クラスキューの番号とともに論理値１、下回った場合は論理値０を送信する。ポーズフレーム作成・送信部２１６は、該イベントに従い、ＩＥＥＥ８０２．３Ａｎｎｅｘ３１Ｂに準じたポーズフレームをＣｏＳ情報部付与部２１７へ送信する。
【０１３９】
ＣｏＳ情報部付与部２１７は、下りデータ蓄積監視部２１５からの優先度クラスキューの番号をサービスクラス（ＣｏＳ）情報としてポーズフレームへ付与する。下りデータ蓄積監視部２１５、ポーズフレーム作成・送信部２１６、ＣｏＳ情報部付与部２１７は、例えばランダムアクセスメモリによって構成される。
【０１４０】
上りデータ蓄積監視部２１８は、上り優先度クラスキュー２７に蓄積するデータ量を監視し、各優先度クラスキュー２７に設定された閾値を上回った、或いは下回った際、ＤＢＡスケジューラ部２１−３へイベントを送信し、合わせて該イベントが発生した優先度クラスキューの番号目とポーズ時間ｔを送信する。例えば、該蓄積データ量が閾値を上回った場合は優先度クラスキューの番号ｎ、ポーズ時間ｔとともに、論理値１、下回った場合は論理値０を送信する。上りデータ蓄積監視部２１８は、例えばランダムアクセスメモリによって構成される。
【０１４１】
ＤＢＡスケジューラ部２１−３は、該優先度クラスキューに該当する上り送信帯域の割り当てを、時間情報ｔがゼロでないときはｔ時間分キャンセルし、時間情報ｔがゼロであるときは割り当てを許可するようにスケジューリングを行う。また、Ｒｅｐｏｒｔフレーム受信・解析部２１−２から、加入者線終端装置（ＯＮＵ）１１からのＩＥＥＥ８０２．３ａｈＣｌａｕｓｅ６４で規定されるレポート（Report）フレームのキュー（Queue）セットを使用した、ユーザ宅内側ネットワーク１２に対するＩＥＥＥ８０２．３Ｃｌａｕｓｅ３１Ｂに準じたポーズフレームの送信による上りトラヒックの転送の一時停止／再開を実行した優先度クラスキューの番号と、対応するポーズフレームのポーズ時間、を取得し、それぞれ上記優先度クラスキューの番号ｎ及びポーズ時間ｔに該当させる。
【０１４２】
また、Ｒｅｐｏｒｔフレーム受信・解析部２１−２は、下りスケジューラ部２１１に対し、加入者線終端装置（ＯＮＵ）１１からのＩＥＥＥ８０２．３ａｈＣｌａｕｓｅ６４で規定されるレポート（Report）フレームのキュー（Queue）セットを使用し、該加入者線終端装置（ＯＮＵ）が後述の下りデータ蓄積監視部３１８のデータ蓄積結果に従って、加入者収容装置（ＯＬＴ）１４に対して、下りトラヒックの転送の一時停止／再開を要求した優先度クラスキューの番号と、対応するポーズ時間とを更に取得し、下りスケジューラ部２１１へ送信する。
【０１４３】
下りスケジューラ部２１１は、該優先度クラスキューの番号に該当する下り優先度クラスキュー２９に収容されたトラヒックの読み出し動作を、該ポーズ時間がゼロでないときはその時間分無効にし、該ポーズ時間がゼロであるときは読み出し動作を有効とすることにより、加入者線終端装置（ＯＮＵ）１１に対し、下りトラヒックの転送の一時停止／再開を、優先度クラス単位に行う。
【０１４４】
下りデータ分離部２３への上位ネットワーク１５からの下りトラヒック、上りデータ多重部２１２からの上位ネットワーク１５への上りユーザフレームは、ＳＮＩ終端部２１９を介して上位ネットワーク１５との間で送受される。ＳＮＩ終端部２１９は、例えばイーサネット（登録商標）物理層デバイスによって実現される。
【０１４５】
次に、加入者線終端装置（ＯＮＵ）１１の内部構成について説明する。図３における、ＰＯＮ終端部３２、上りデータ多重部３１−５、下りデータ分離部３１−１、上りスケジューラ部３１１、下りクラシファイア部３４、上りデータ蓄積監視部３１５、上り優先度クラスキュー３９、下り優先度クラスキュー３７、下りデータ蓄積監視部３１８、ポーズフレーム作成・送信部３１６、上りクラシファイア部３５、ポーズフレーム受信・解析部３１３、下りスケジューラ部３１０、ＣｏＳ情報部付与部３１７、上りデータ分離部３３は、下りデータ多重部３１２、ＵＮＩ終端部３１９は、それぞれ図２における、ＰＯＮ終端部２２、下りデータ多重部２１−５、上りデータ分離部２１−１、下りスケジューラ部２１１、上りクラシファイア部２４、下りデータ蓄積監視部２１５、下り優先度クラスキュー２９、上り優先度クラスキュー２７、上りデータ蓄積監視部２１８、ポーズフレーム作成・送信部２１６、下りクラシファイア部２５、ポーズフレーム受信・解析部２１３、上りスケジューラ部２１０、ＣｏＳ情報部付与部２１７、下りデータ分離部２３、上りデータ多重部２１２、ＳＮＩ終端部２１９、と対応した類似の動作機能及び構成を有するものである。
【０１４６】
Ｇａｔｅフレーム受信・解析部３１−２は、加入者収容装置（ＯＬＴ）１４からのゲート（Gate）フレームを受信し、該ゲート（Gate）フレーム中の加入者線終端装置（ＯＮＵ）１１における上りデータ送信開始時刻とデータ送信許可時間を含むグラント（Grant）を抽出し、該グラント（Grant）に従って加入者収容装置（ＯＬＴ）１４に対し、上りデータを送信する。Ｇａｔｅフレーム受信・解析部３１−２は、例えばランダムアクセスメモリによって構成される。
【０１４７】
レポート（Report）フレーム作成・送信部３１−４は、上りデータ蓄積監視部３１５によって検出された上り優先度クラスキュー３９に蓄積するデータ量を、レポート（Report）フレームのキュー（Queue）セットへ情報として設定し、上りトラヒックの要求送信量を通知する。
【０１４８】
また、下りデータ蓄積監視部３１８によって、加入者収容装置（ＯＬＴ）１４に対し、下りトラヒックの一時停止／再開を要求するための、優先度クラスキューの番号と、ポーズ時間計算部３２０によってポーズ時間をＴＱ（Time Quanta）変換により時間量子化したものを、別のキュー（Queue）セットへ情報として設定する。ここで、ＴＱは時間管理及びデータ量管理の統一単位であり、１ＴＱは２バイト分の伝送時間である。
【０１４９】
ポーズ時間のＴＱ変換は、ＵＮＩ終端部３１９よりユーザ宅内側ネットワーク１２とのリンク速度を取得し、例えば該リンク速度が１０Ｍｂｐｓであるときは、ポーズ時間に対し３２００、１００Ｍｂｐｓのときは３２０、１Ｇｂｐｓのときは３２をそれぞれ乗じることで実現する。
【０１５０】
更に、加入者線終端装置（ＯＮＵ）１１がユーザ宅内側ネットワーク１２に対して送信した優先度クラスキューの番号、ポーズ時間を、更に別のキューセットへ設定する第１の実現手段を有する。レポート（Report）フレーム作成・送信部３１−４は、例えばランダムアクセスメモリによって構成される。
【０１５１】
上記加入者線終端装置（ＯＮＵ）１１がユーザ宅内側ネットワーク１２に対して送信した優先度クラスキューの番号、ポーズ時間については、第２の実現手段として、該ポーズ時間をポーズ残時間とする。ポーズ残時間は、加入者線終端装置（ＯＮＵ）がユーザ宅内側のネットワークに対し、ＩＥＥＥ８０２．３Ａｎｎｅｘ３１Ｂに準じたポーズフレームの送信によって、上りトラヒックの転送の一時停止を要求した場合は、該ポーズ時間をＴＱ変換したものを初期値とし、且つＩＥＥＥ８０２．３ａｈＣｌａｕｓｅ６４で規定されるローカルタイムカウンタ（local Time counter）で使用されるクロックを用いてダウンカウントを行い、該カウンタのカウント値を次回のポーズ時間とする。
【０１５２】
該ポーズフレームの送信によって上りトラヒックの転送の再開を要求した場合は、次回該ポーズフレームの送信によって上りトラヒックの転送の一時停止を要求するまでの間、上記カウンタのダウンカウント動作をさせずに強制的にカウント値を“０”する。また、該カウンタのダウンカウント動作によって、カウント値が“０”となった場合は、初期値へ戻り再度ダウンカウントを開始すると同時に、再度ユーザ宅内側ネットワーク１２に対し、再度、ポーズフレーム作成・送信部３１６によってポーズフレームを送信させる。ポーズ時間計算部３２０は、例えばランダムアクセスメモリ、中央処理演算装置、ソフトウェア、ダウンカウンタによって構成される。
【０１５３】
図２における下りスケジューラ部２１１、上りクラシファイア部２４、下り優先度クラスキュー２９、上り優先度クラスキュー２７、上りスケジューラ部２１０、ＤＢＡスケジューラ部２１−３、及び図３における上りスケジューラ部３１１、上り優先度クラスキュー３９、下り優先度クラスキュー３７、下りクラシファイア部３４では、加入者線終端装置（ＯＮＵ）〜加入者収容装置（ＯＬＴ）間の優先度クラスキューの番号を、第１の実現手段として、ＩＥＥＥ８０２．３ａｈＧＥＰＯＮシステムにおける加入者線終端装置（ＯＮＵ）の上り帯域割り当ての単位及び論理パスの番号である論理リンク識別子（ＬＬＩＤ）に関連付ける構成とすることができる。また、この第２の実現手段として、ＩＥＥＥ８０２．３ａｈＣｌａｕｓｅ６４で規定されるゲート（Gate）フレームの中に定義されるグラント番号（Grant＃）に関連付ける構成とすることができる。
【０１５４】
図４の（ａ）は、図２の加入者収容装置（ＯＬＴ）におけるポーズフレーム受信・解析部２１３、ＣｏＳ情報部付与部２１７、図３の加入者線終端装置（ＯＮＵ）におけるポーズフレーム受信・解析部３１３、ＣｏＳ情報部付与部３１７において、それぞれ上位ネットワーク１５、ユーザ宅内側ネットワーク１２との間で通信される、ＩＥＥＥ８０２．３Ａｎｎｅｘ３１Ｂに準じたポーズフレームであって、優先度クラスキュー番号ｎを、ＶＬＡＮタグ（VLAN Protocol ID=81-100,Tag Control Information）のＶＬＡＮ識別子（ＶＩＤ）４１に設定する実施の形態を示している。
【０１５５】
図４の（ｂ）は、図２の加入者収容装置（ＯＬＴ）におけるポーズフレーム受信・解析部２１３、ＣｏＳ情報部付与部２１７、図３の加入者線終端装置（ＯＮＵ）におけるポーズフレーム受信・解析部３１３、ＣｏＳ情報部付与部３１７において、それぞれ上位ネットワーク１５、ユーザ宅内側ネットワーク１２との間で通信される、ＩＥＥＥ８０２．３Ａｎｎｅｘ３１Ｂに準じたポーズフレームであって、優先度クラスキュー番号ｎを、優先度識別子（ＱＩＤ）格納領域４２として新たに定義した領域に格納する実施の形態を示している。
図５は、図２及び図３の実施形態で通信されるレポート（Report）フレームを示している。本実施の形態では、優先度クラス数は４（＃０〜＃３）としている。図中、５１は第１のキュー（Queue）セットであり、上りデータ蓄積監視部３１５によって検出された上り優先度クラスキュー３９に蓄積するデータ量を表す。
【０１５６】
図中、５２は第２のキュー（Queue）セットであり、加入者線終端装置（ＯＮＵ）１１が加入者収容装置（ＯＬＴ）１４に対し、優先度クラス単位に下りトラヒックの送信一時停止／再開を要求するためのポーズ時間を表している。５３は第３のキュー（Queue）セットであり、加入者線終端装置（ＯＮＵ）１１がユーザ宅内側ネットワーク１２に対して送信したポーズフレームのポーズ時間又はポーズ残時間を表している。
【０１５７】
以上、本発明の実施の形態によれば、ＧＥＰＯＮシステムにおける装置間の優先度クラス単位の高品位なトラヒック制御を行うことが可能となり、音声情報の伝送など遅延に厳しいサービス、インターネットアクセスに代表されるベストエフォートサービスなど、ネットワーク上の転送優先度が異なる複数のトラヒックを、スループット低下やサービスへの影響を招くことなく、収容することに効果を奏し、ＧＥＰＯＮシステムの通信品質の向上を図ることができる。
【図面の簡単な説明】
【０１５８】
【図１】本発明におけるＧＥＰＯＮシステム全体を示す図である。
【図２】本発明における加入者収容装置（ＯＬＴ）の内部構成を示す図である。
【図３】本発明における加入者線終端装置（ＯＮＵ）の内部構成を示す図である。
【図４】本発明における優先度クラスキュー番号の格納領域を具備したポーズフレームを示す図である。
【図５】本発明におけるレポート（Report）フレームを示す図である。
【符号の説明】
【０１５９】
１１  加入者線終端装置（ＯＮＵ）
１２  ユーザ宅内側ネットワーク
１３  ユーザネットワークインタフェース（ＵＮＩ）
１４  加入者収容装置（ＯＬＴ）
１５  上位ネットワーク
１６  サービスノードインタフェース（ＳＮＩ）
１７  光学スプリッタ
１８  受動光ネットワーク（ＰＯＮ）
【図１】
2007194732.tif 000003
【図２】
2007194732.tif 000004
【図３】
2007194732.tif 000005
【図４】
2007194732.tif 000006
【図５】
2007194732.tif 000007